(57)【要約】【課題】複数の通信用回線を収容可能な主装置部に対して通信路を通じて接続されて通信を行なう電話通信端末として、少ない操作キーであっても、多数の電話用通信回線に対応することができ、かつ、使い勝手の良いものを提供する。【解決手段】通信用回線の回線状態が割り付けられた操作キーを設ける。操作キーが操作されたときに、操作キーに割り付けられている回線状態となっている通信用回線の一覧を、予め定められた優先順に表示画面に表示するように制御する表示制御手段を設ける。【選択図】図７
2006270482.tif 000002
【特許請求の範囲】
【請求項１】
複数の通信用回線を収容可能な主装置部に対して通信路を通じて接続されて、前記通信用回線を通じて通信を行なう電話通信端末において、
前記通信用回線の回線状態が割り付けられた操作キーと、
表示画面を備える表示素子と、
前記操作キーが操作されたときに、前記操作キーに割り付けられている回線状態となっている前記通信用回線の一覧を、予め定められた優先順に前記表示画面に表示するように制御する表示制御手段と、
を備えることを特徴とする電話通信端末。
【請求項２】
請求項１に記載の電話通信端末において、
前記表示制御手段は、前記操作キーが操作されたときに、前記操作キーに割り付けられている回線状態となっている前記通信用回線の一覧を、前記回線状態に関する種別の一覧により、前記回線状態に関する種別について予め定められた優先順に前記表示画面に表示するように制御する
ことを特徴とする電話通信端末。
【請求項３】
請求項１に記載の電話通信端末において、
前記操作キーには、着信中の回線状態が割り付けられており、
前記回線状態に関する種別は、着信の種別であり、前記着信の種別に基づく優先順に前記一覧表示する
ことを特徴とする電話通信端末。
【請求項４】
請求項１に記載の電話通信端末において、
前記操作キーには、保留中の回線状態が割り付けられており、
前記回線状態に関する種別は、保留の種別であり、前記保留の種別に基づく優先順に前記一覧表示する
ことを特徴とする電話通信端末。
【請求項５】
請求項１〜請求項４のいずれかに記載の電話通信端末において、
前記操作キーに割り付けられている回線状態となっている前記通信用回線の一覧情報が、前記表示画面に表示されているときに、前記一覧情報から一の通信用回線をユーザが選択するためのものであって、前記優先順位の高いものを最初の選択状態とする選択操作手段を備える
ことを特徴とする電話通信端末。
【請求項６】
請求項１に記載の電話通信端末において、
前記主装置部に対して無線通信路を通じて接続されると共に、バッテリー駆動とされてなる
ことを特徴とする電話通信端末。
【発明の詳細な説明】
【技術分野】
【０００１】
この発明は、例えば、いわゆるビジネスホンシステムの電話通信端末に関し、特に、無線ＬＡＮを用いて主装置部と無線接続される電話通信端末に適用して好適なものである。
【背景技術】
【０００２】
ビジネスホンシステムとしてボタン電話システムが普及している。このボタン電話システムに用いられているボタン電話端末は、一般に、ダイヤル用のテンキーの他、主装置部が収容する複数の通信用回線のそれぞれに対応して設定される複数個の外線キーや、各種機能などを自由に設定可能な複数個の機能キーなどの複数個の操作キー（以下、この操作キーをフレキシブルキーという）を備える。
【０００３】
そして、従来のボタン電話端末においては、フレキシブルキーの内部にＬＥＤ（Ｌｉｇｈｔ  Ｅｍｉｔｔｉｎｇ  Ｄｉｏｄｅ；発光ダイオード）やランプをそれぞれ備えた自照式としたり、それぞれのフレキシブルキーの近傍にＬＥＤやランプを配置したりして、その使用状態を、ＬＥＤやランプの点灯、消灯、点滅、発光色などにより、区別して表示するようにしている。
【０００４】
例えば、外線が割付設定されたフレキシブルキー（外線キー）の場合であれば、対応する電話回線の使用中、空き、保留中、着信中などの回線状態を、ＬＥＤの点灯、消灯、点滅、発光色などにより、区別して表示することにより、これらの外線キーを操作して、対応する電話回線の捕捉などをするユーザのサポートをするようにしている（例えば特許文献１（特開昭６４−８２７３２号公報）、特許文献２（特開昭６３−２４２０９６号公報）、特許文献３（特開平５−２２７２６３号公報）等参照）。
【０００５】
ところで、無線ＬＡＮ（Ｌｏｃａｌ  Ａｒｅａ  Ｎｅｔｗｏｒｋ）を利用して、上述のようなビジネスホンシステムを構築する試みがなされている。この無線ＬＡＮを利用するビジネスホンシステムで用いる無線電話通信端末は、電池で動作するものとなるが、この無線電話通信端末に、従来のボタン電話端末と同様にして複数のフレキシブルキーおよびＬＥＤを設けるようと、次のような問題が生じる。
【０００６】
ＬＥＤの消費電力は比較的大きく、回線数や設定機能数に応じた複数個のフレキシブルキーに対応して複数個のＬＥＤを設けると、その数だけ消費電力が増加し、電池の消耗が大きく、長時間待機することができない。特に、フレキシブルキーが外線キーの場合、一般に、他の端末が使用中であることは、ＬＥＤの点灯により表示するようにしており、自端末が使用されていなくても、他の端末が使用されることで、ＬＥＤが点灯し、電力を消費してしまうので、充電なしで使用可能な時間が非常に短くなってしまうという問題がある。
【０００７】
前述の特許文献３の場合には、何等かのトリガーによりＬＥＤを点灯表示させ、一定時間経過後に消灯することで、消費電力の低減を図る方法が示されている。この特許文献３の方法を適用すれば、無線電話端末を使用しないときはＬＥＤを消灯して電力を無駄に消費しないようにすることできる。
【０００８】
しかしながら、特許文献３の方法では、実際に使用するときには、何か操作し、通信をすることで、主装置が収容している複数の電話通信用回線について、最新の回線状態等を得て更新しないと、そのときの実際の回線状態等が確認できないという問題がある。このため、外線ボタンに対応する他端末の使用表示が正しく行なわれておらず、使用しようと思った外線ボタンを押したら、他端末により使用中であったという事態が発生するおそれがある。
【０００９】
また、主装置部で収容回線数が多くなったり、設定機能を多くしたりしたときには、要求される数のフレキシブルキーを電話端末のパネル面に設置しきれなくなり、ビジネスホンの収容回線数や機能数が制限されてしまうという問題がある。特に、無線電話通信端末は、小型軽量が要求されるため、この問題は大きい。
【００１０】
これに対して、特許文献４（特開平８−９７８９８号公報）や特許文献５（特開２０００−３２５２０公報）には、複数個のフレキシブルキーのそれぞれに割り付けられる回線や機能を、複数ページ分、設定するようにして、複数個のフレキシブルキーに設定される回線数や機能数を、フレキシブルキー数のページ数倍に増加させる発明が提案されている。これによれば、少ないフレキシブルキー数で、多数の回線数や機能数の設定が可能となる。
【００１１】
また、上記の特許文献は、次の通りである。
【特許文献１】特開昭６４−８２７３２号公報
【特許文献２】特開昭６３−２４２０９６号公報
【特許文献３】特開平５−２２７２６３号公報
【特許文献４】特開平８−９７８９８号公報
【特許文献３】特開２０００−３２５２０公報
【発明の開示】
【発明が解決しようとする課題】
【００１２】
しかしながら、上述の特許文献４や特許文献５に記載の発明の場合、各フレキシブルキーには、ページを変えて、１つの回線あるいは１つの機能が設定されるものであるため、各ページを参照しないと、そのページにおいて割り付けられている回線の状態を知ることができない。
【００１３】
このため、例えば、空き外線の検知のために複雑な操作が必要になったり、自分の電話通信端末への個別着信など特定の回線の着信を取るのに手間がかかったりなど、使い勝手が悪いという問題がある。
【００１４】
以上のことにかんがみ、この発明は、複数の通信用回線を収容可能な主装置部に対して通信路を通じて接続されて通信を行なう電話通信端末として、少ない操作キーであっても、多数の電話用通信回線に対応することができ、かつ、使い勝手の良いものを提供することを目的とする。
【課題を解決するための手段】
【００１５】
上記の課題を解決するために、この発明による電話通信端末は、
複数の通信用回線を収容可能な主装置部に対して通信路を通じて接続されて、前記通信用回線を通じて通信を行なう電話通信端末において、
前記通信用回線の回線状態が割り付けられた操作キーと、
表示画面を備える表示素子と、
前記操作キーが操作されたときに、前記操作キーに割り付けられている回線状態となっている前記通信用回線の一覧を、予め定められた優先順に前記表示画面に表示するように制御する表示制御手段と、
を備えることを特徴とする。
【００１６】
上述の構成のこの発明によれば、回線数に応じた複数個の操作キーを設けるのではなく、回線状態が割り付けられた操作キーを設け、当該操作キーを操作すると、割り付けられた回線状態となっている回線のグループの一覧が表示される。したがって、回線数に応じた数の複数の操作キーを設ける場合に比べて、少ない操作キーを設けるだけでよく、また、主装置部が収容する回線数を増加する場合にも、操作キーを増加させる必要はない。
【００１７】
そして、前記一覧は、予め定められた優先順に表示されるので、ユーザは、優先順位の高い回線状態の回線を簡単に選択することができる。
【発明の効果】
【００１８】
この発明によれば、回線数に応じた数の複数の操作キーを設けるのではなく、回線状態を割り付けた操作キーを設けるだけでよいので、操作キーを少なくすることができる。しかも、主装置部に収容される回線数が増加しても、操作キー数を増加させる必要はない。
【００１９】
そして、ユーザは、回線状態が割り付けられた操作キーを操作するだけで、当該回線状態になっている回線の一覧を、予め定められた優先順に見られるので、ユーザが要求する回線の選択操作が容易になり、使い勝手の良い電話通信端末を実現することができる。
【発明を実施するための最良の形態】
【００２０】
以下、この発明による電話通信端末の実施形態を、無線ＬＡＮを用いて、主装置部と複数の電話端末の間を、無線通信路を通じて接続するようにするビジネスホンシステムに用いた場合を例に、図を参照しながら説明する。
【００２１】
図１は、この発明による電話通信端末の実施形態が用いられたビジネスホンシステムの全体の構成例を示すブロック図である。この例で用いる無線ＬＡＮは、ＩＥＥＥ８０２．１１規格に準拠しており、通話音声情報や呼制御のための情報の他、全ての情報はパケット化されて送受される。この例においては、この発明による電話通信端末の実施形態は、パケット電話機として構成される。
【００２２】
この例のビジネスホンシステムは、主装置部１と、この主装置部１と無線ＬＡＮ３を通じて無線接続される複数個のパケット電話機２とから構成されている。
【００２３】
主装置部１は、無線ＬＡＮ用アクセスポイント装置１０（以下、単にアクセスポイント装置という）と、サーバ装置１２と、ゲートウエイ１３とを備えて構成されている。アクセスポイント装置１０は、有線ＬＡＮ１１を通じてサーバ装置１２に接続されている。
【００２４】
サーバ装置１２は、この例のビジネスホンシステムの場合には、電話通信中継交換装置の役割をもするものであり、ゲートウエイ１３を通じて外部ネットワーク、この例においては、公衆交換電話網（ＰＳＴＮ；Ｐｕｂｌｉｃ  Ｓｗｉｔｃｈｅｄ  Ｔｅｌｅｐｈｏｎｅ  Ｎｅｔｗｏｒｋ）１４にも接続される。なお、外部ネットワークには、インターネットをも含むものである。
【００２５】
この例においては、主装置部１は、電話通信用として、複数回線分を収容可能とされており、サーバ装置１２は、収容している電話通信用回線のそれぞれに識別情報（例えば回線番号）を付与して管理している。そして、この例においては、収容する電話通信用回線としては、アナログ回線、ＩＳＤＮ（Ｉｎｔｅｇｒａｔｅｄ  Ｓｅｒｖｉｃｅ  Ｄｉｇｉｔａｌ  Ｎｅｔｗｏｒｋ；総合デジタル通信網）回線、ＶｏＩＰ（Ｖｏｉｃｅ  ｏｖｅｒ  Ｉｎｔｅｒｎｅｔ  Ｐｒｏｔｏｃｏｌ）回線（以下、ＩＰ回線という）など、複数種の回線を収容可能であり、各回線番号に対応して、その回線の回線種別も登録されて記憶管理されている。
【００２６】
そして、例えば、ある回線に着信があると、サーバ装置１２は、当該着信があった回線の識別情報と共に、着信通知をアクセスポイント装置１０を通じてすべてのパケット電話機２に通知するようにする。この場合、サーバ装置１２は、着信種別、すなわち、ビジネスホンシステム内のパケット電話機を特定しない一般着信であるか、特定のパケット電話機２に宛てられた個別着信であるか、ＣＥＳ着信であるかを判別して、それらの判別結果の着信通知に含めて、パケット電話機に渡すようにする。
【００２７】
なお、一般着信やＣＥＳ着信の場合には、着信通知のパケットは、サーバ装置１２からアクセスポイント装置１０へはマルチキャストパケットにより送られるが、個別着信の場合には、その着信通知のパケットは、サーバ装置１２からアクセスポイント装置１０へは、着信相手のパケット電話機２を特定したユニットキャストパケットにより送られる。
【００２８】
ここで、ＣＥＳ着信とは、電話番号に４桁の番号を付加することで、電話局経由で事業者間同士で外線通話を行なう場合の着信である。
【００２９】
パケット電話機２は、着信通知に含まれる回線の識別情報から、いずれの回線に着信があったかを検出し、当該着信があった回線に対する着信通知表示を、後述するようにして行なう。
【００３０】
また、パケット電話機２からの主装置部１への回線捕捉要求には、当該回線捕捉要求する回線の識別情報が付加される。サーバ装置１２は、当該付加されている回線識別情報からいずれの回線への捕捉要求であるかを検出して、捕捉処理を行なう。
【００３１】
アクセスポイント装置１０に対しては、複数個のパケット電話機２のそれぞれに内蔵される無線ＬＡＮ用端末側ステーション装置部（以下、単にステーション装置部という）２０が、それぞれ無線リンクにより接続される。アクセスポイント装置１０と複数個のステーション装置部２０との間で形成される無線リンクは、無線ＬＡＮ３を構成する。
【００３２】
そして、この例では、各パケット電話機２においては、ステーション装置部２０は、電話機部３０に接続される。また、この例では、パケット電話機２は、電源として、例えば充電式のバッテリー４０を用いるものとして構成されており、省電力化のため、通信を行なっていないときには、スタンバイ状態を間に挟んで、一定周期で、間欠受信状態を繰り返すように構成されている。
【００３３】
サーバ装置１２は、無線ＬＡＮ３にステーション装置部２０を介して接続されるパケット電話機２のそれぞれについての、無線ＬＡＮ３上のアドレス情報を管理している。そして、サーバ装置１２は、無線ＬＡＮ３を通じた電話通信の通話路を管理する。例えば、サーバ装置１２は、外部ネットワーク４に接続された複数の通信用回線のそれぞれについて、当該通信用回線を通じた他の電話端末と、アクセスポイント装置１０、無線ＬＡＮ３を介したパケット電話機２との間の通話（外線通話）について、通信制御および管理する。
【００３４】
また、サーバ装置１２は、管理しているアドレス情報を用いて、複数台のパケット電話機２のいずれか一つのパケット電話機と、他の一つのパケット電話機２との間での、無線ＬＡＮ３およびサーバ装置１２を通じた内線通話についての通信制御および管理をも行なうようにしている。
【００３５】
サーバ装置１２は、例えば外部ネットワーク４を通じて、複数の通信用回線のいずれかに、相手方から着信があったときには、当該回線に着信があったことを知らせる着信通知のパケット（着信通知の情報と、当該着信のあった回線の識別情報と、前述した着信種別の情報を含む）を、マルチキャストによりアクセスポイント装置１０に送る。前述したように、個別着信の場合には、ユニキャストによりアクセスポイント装置１０に着信通知を送る。
【００３６】
アクセスポイント装置１０は、この例では、この着信通知のパケットは、重要パケットと判断して、その着信通知のマルチキャストパケットはユニキャストのパケットに変換し、無線ＬＡＮ３を通じて配下のパケット電話機２のステーション装置部２０の全てに送る。
【００３７】
ステーション装置部２０のそれぞれは、当該着信をパケット電話機２の電話機部３０に転送する。電話機部３０は、当該着信を、パケット電話機２のユーザに、例えばベル鳴動などにより通知すると共に、受け取った回線の識別情報に基づく、当該回線に着信があったことを後述するようにして表示してユーザに知らせる。
【００３８】
いずれかのパケット電話機２のユーザがこの着信に応答すると、その応答メッセージが、当該応答のあったパケット電話機２から、そのステーション装置部２０を通じ、無線ＬＡＮ３を通じてアクセスポイント装置１０に伝送される。
【００３９】
アクセスポイント装置１０は、この応答をサーバ装置１２に送り、サーバ装置１２は、この応答をゲートウエイ１３および着信があった通信用回線通じて外部ネットワーク４に送出し、相手方に通知する。これにより、無線ＬＡＮ３を通じた通話路が形成され、無線ＬＡＮ３を通じて音声パケットの伝送がなされて通話がなされる。
【００４０】
複数台のパケット電話機２のいずれかのユーザが、前記複数の通信用回線のいずれかを捕捉して発信の操作をした場合には、上述とは逆の経路で、発信の相手先に着信され、当該発信の相手先が応答すれば、無線ＬＡＮ３を通じた通話路が形成され、無線ＬＡＮ３を通じて音声パケットの伝送がなされて通話がなされる。
【００４１】
サーバ装置１２は、上述のようにして着信応答により生成された通話路や、発呼により生成された通話路を管理しており、無線ＬＡＮ３を通じて、当該通話路が生成されている通信用回線の状態情報を、パケット電話機２の全てに、回線状態の通知用パケットとして生成し、マルチキャストのパケットとしてアクセスポイント装置１０に送る。
【００４２】
アクセスポイント装置１０は、この例では、この回線状態の通知用パケット（この明細書では着信通知のパケットを含むものとする）を重要パケットと判断して、マルチキャストパケットとされている、その回線状態の通知用パケットをユニキャストパケットに変換し、無線ＬＡＮ３を通じて配下の全てのパケット電話機２に、そのステーション装置部２０を通じて送る。回線状態の通知用パケットを受け取った各パケット電話機２は、後述するように、当該通知用パケットを解析し、その解析結果に応じて後述するような、着信表示や当該通信用回線について他端末が外線使用中の表示などを行なってユーザに通知するようにする。
【００４３】
なお、通話音声のパケットは、特定の相手先を指定するパケットであり、ユニキャストパケットとされるものである。なお、マルチキャストで送られる情報は、上述のような着信パケットや、回線状態の通知用パケットだけではないことは言うまでもない。
【００４４】
この実施形態では、着信や外線使用中などの回線状態の通知用パケットなどのように、マルチキャストのパケットであっても、パケット電話機２に対して必ず到達させたいパケットは、重要パケットとして、他のマルチキャストのパケットとは区別するようにする。
【００４５】
そして、この実施形態では、マルチキャストパケットのうちの、重要でないものはそのままマルチキャストで無線ＬＡＮ３に送出するが、重要なものは、上述したように、アクセスポイント装置１０において、配下の全てのパケット電話機２のステーション装置部２０に宛てたユニキャストパケットに変換して、全てのパケット電話機２に確実に到達させるようにしている。
【００４６】
アクセスポイント装置１０は、サーバ装置１２と、パケット電話機２のステーション装置部２０との間におけるパケットの送受の中継を、主として行なうものであるが、この実施形態では、上述の点を実現するために、単に、パケットの送受の中継機能だけではなく、上述のマルチキャストパケットをユニキャストパケットに変換する機能のために、次のような、処理機能を備える。
【００４７】
すなわち、アクセスポイント装置１０は、パケットがマルチキャストパケットか、ユニキャストパケットかを識別する機能と、パケットの種別やパケットにより送受されるデータの種別などを判別する機能とを備えると共に、サーバ装置１２からマルチキャストのパケットを受け取ったときに、そのパケット種別あるいはデータ種別が、重要なものとして予め定められた特定の種別のパケットやデータのときには、サーバ装置１２から受け取ったマルチキャストのパケットを、ユニキャストのパケットに変換する機能を備えている。
【００４８】
アクセスポイント装置１０は、無線ＬＡＮ３を通じて接続される配下の複数のステーション装置部２０（延いては各パケット電話機２）のアドレスやポート番号を管理しており、マルチキャストのパケットをユニキャストのパケットに変換するときには、それらの管理データを用いて、管理している配下の全てのステーション装置部２０に対するユニキャストパケットを生成して、それらを配下の全てのステーション装置部２０に送るようにする。
【００４９】
なお、この実施形態では、パケット電話機２は間欠受信をするため、当該パケット電話機２がスタンバイ状態のときには、ユニキャストパケットに対する受信確認情報をアクセスポイント装置１０は得られず、当該ユニキャストパケットは、未送達のユニキャストパケットとなる。
【００５０】
この未送達のユニキャストパケットは、ＩＥＥＥ８０２．１１規格に準拠した未送達の通知方法を用いることにより、確実に宛先のパケット電話機２にステーション装置部２０を通じて送ることができる。
【００５１】
次に、この実施形態の無線ＬＡＮシステムを構成するアクセスポイント装置１０およびステーション装置部２０を含むパケット電話機２の詳細な構成例および動作例を説明する。
【００５２】
＜アクセスポイント装置１０のハードウエア構成＞
図２は、主装置部１のアクセスポイント装置１０のハードウエア構成例を示すブロック図である。
【００５３】
この例のアクセスポイント装置１０は、例えばマイクロコンピュータからなる制御部１０１と、有線ＬＡＮインターフェース（図ではインターフェースはＩ／Ｆと記載する。以下同じ）１０２と、送信用処理回路１０３と、受信用処理回路１０４と、送信アンプ１０５と、受信アンプ１０６と、アンテナ切換回路１０７と、送受信アンテナ１０８と、送受信アンテナ１０９とを備えて構成される。
【００５４】
有線ＬＡＮインターフェース１０２は、この例では、有線ＬＡＮ１１を通じてサーバ装置１２に接続されている。２個の送受信アンテナ１０８および１０９は、ダイバーシティアンテナを構成するもので、無線ＬＡＮ３を通じてのパケットの送受を行なうためのものである。
【００５５】
アクセスポイント装置１０では、有線ＬＡＮインターフェース１０２を通じて得たサーバ装置１２からの送信用パケットを、制御部１０１の制御に応じて送信用処理回路１０３およびアンプ１０５、また、アンテナ切換回路１０７を介して送受信アンテナ１０８または１０９の一方に供給して、ステーション装置部２０に対して無線送信する。
【００５６】
また、送受信アンテナ１０８または１０９の一方を通じて受信したステーション装置部２０からのパケットは、アンテナ切換回路１０７およびアンプ１０６を通じて受信用処理回路１０４に供給される。そして、受信用処理回路１０４からのパケットは、制御部１０１に供給される。制御部１０１は、受信したパケットを、有線ＬＡＮインターフェース１０２および有線ＬＡＮ１１を通じてサーバ装置１２に送出する。
【００５７】
制御部１０１は、マイクロコンピュータにより構成されるもので、例えば、図２に示すようなブロック構成とされる。すなわち、ＣＰＵ（Ｃｅｎｔｒａｌ  Ｐｒｏｃｅｓｓｉｎｇ  Ｕｎｉｔ）１１０に対して、システムバス１１１を介して、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、パケット分解／生成部１１４と、無線端末情報管理部１１５と、受信バッファ１１６と、送信バッファ１１７と、ビーコン生成部１１８と、送信態様判別部１１９と、情報種別判別部１２０と、送信情報生成部１２１とが接続されている。
【００５８】
図２では、省略したが、有線ＬＡＮインターフェース１０２に接続されるポートや、送信用処理回路１０３、受信用処理回路１０４と制御情報や送受信情報のやり取りを行なうポートなども、制御部１０１は、備えるものである。
【００５９】
パケット分解／生成部１１４は、インターフェース１０２により取り込んだパケット化データを分解して、パケットヘッダを分離し、送信態様判別部１１９や情報種別判別部１２０に転送する機能と、送信するデータをパケット化して送出するパケットデータを生成する機能を有する。このパケット分解／生成部１１４は、パケットデータを分解したり、生成したりするためのバッファメモリを備える。
【００６０】
無線端末情報管理部１１５は、無線ＬＡＮ３を通じて接続される配下のパケット電話機２のステーション装置部２０のアドレス情報やポート番号を記憶して管理する。
【００６１】
受信バッファ１１６は、有線ＬＡＮインターフェース１０２を通じて受け取ったパケットデータや、無線ＬＡＮ３から受け取ったパケットデータを一時格納するためのものである。
【００６２】
送信バッファ１１７は、配下のパケット電話機２（ステーション装置部２０）のそれぞれについて、当該パケット電話機２に対して送出すべきパケットを待ち行列として順次に蓄積してゆく送信キューを備える。当該パケット電話機２に送られていない未送達のパケットが、それぞれの送信キューに登録される。
【００６３】
ビーコン生成部１１８は、主として、ステーション装置部２０がアクセスポイント装置１０をサーチし、自装置をアクセスポイント装置１０に登録するための等に用いられる特定の電波、すなわち、ビーコンを、一定周期、例えば１００ミリ秒周期で生成し、生成したビーコンをパケット分解／生成部１１４でパケット化して、無線ＬＡＮ３に送出するようにする。
【００６４】
そして、ビーコン生成部１１８は、送信バッファ１１７に未送達のパケットがあるときには、当該未送達のパケットがあるパケット電話機２のステーション装置部２０宛てに、未送達のパケットをあることを通知する情報を重畳したビーコンを生成する。ステーション装置部２０は、間欠受信において、当該ビーコンを受信することにより、自分宛ての未送達のパケットがあることが知る。
【００６５】
送信態様判別部１１９は、この例では、パケットヘッダに含まれるアドレス情報を識別して、パケットがマルチキャストか、ユニキャストかを判別する。すなわち、パケットヘッダのアドレス情報としては、ユニキャスト用のものと、マルチキャスト用のものとが予め定められており、例えばマルチキャスト用のアドレス情報が送信態様判別部１１９には記憶されている。したがって、送信態様判別部１１９は、パケットヘッダのアドレス情報を認識し、認識したアドレス情報と、記憶されているアドレス情報とを比較することにより、マルチッキャストのパケットかユニキャストのパケットかを認識することができる。
【００６６】
情報種別判別部１２０は、この例では、パケットヘッダに含まれるポート番号を認識することにより、データの種別あるいはパケットの種別を判別する。すなわち、ポート番号は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に準拠して定められるもので、音声情報、データ、制御情報などのデータに種別ごとに、あるいは、パケットの種別ごとに、別々のポート番号が割り当てられている。また、ユーザが、未定義のポート番号に、着信通知、他使用中や保留中などの回線状態の通知等のパケット種別やデータ種別を割り当てることもできるようにされている。
【００６７】
そこで、この実施形態の情報種別判別部１２０では、例えば、着信通知、他使用中や保留中などの回線状態の通知等などの重要なマルチキャストパケットの情報について、それらに割り当てられているポート番号を記憶しており、受信したマルチキャストパケットのパケットヘッダに含まれるポート番号を認識して、当該認識したポート番号と、記憶したポート番号とを比較することで、受信したマルチキャストパケットが、例えば着信通知のパケットや、回線状態の通知パケットなどの重要な情報パケットであるどうかを判別するようにする。
【００６８】
送信情報生成部１２１は、通常は、有線ＬＡＮインターフェース１０２を通じて受け取ったパケットを、送信情報として、そのまま用いるようにする。しかし、送信態様判別部１１９で、サーバ装置１２から有線ＬＡＮインターフェース１０２を通じて受け取ったパケットがマルチキャストパケットであり、かつ、この実施形態では、情報種別判別部１２０で、着信通知やランプ情報のような重要情報のパケットであると判別したときには、マルチキャストパケットをユニキャストパケットに変換して送出するようにする。
【００６９】
このとき、前述したように、送信情報生成部１２１は、１個のマルチキャストパケットに対して、無線端末情報管理部１１５を検索して、配下のパケット電話機２のステーション装置部２０の全てに対する複数個のユニキャストパケットを生成する。
【００７０】
なお、ビーコン生成部１１８、送信態様判別部１１９の判別機能、情報種別判別部１２０の判別機能は、ＲＯＭ１１２に記憶されているソフトウエアプログラムに基づいてＣＰＵ１１０がＲＡＭ１１３をワークエリアとして用いて行なうソフトウエア処理とすることができる。
【００７１】
＜パケット電話機２のステーション装置部２０のハードウエア構成＞
ステーション装置部２０の基本的なハードウエア構成は、アクセスポイント装置１０とほぼ同様の構成を有する。図３に、ステーション装置部２０の構成例のブロック図を示す。
【００７２】
すなわち、ステーション装置部２０は、例えばマイクロコンピュータを備えて構成される制御部２０１と、端末インターフェース２０２と、送信用処理回路２０３と、受信用処理回路２０４と、送信アンプ２０５と、受信アンプ２０６と、アンテナ切換回路２０７と、送受信アンテナ２０８および２０９とを備えている。
【００７３】
端末インターフェース２０２は、この例では、電話機部３０に接続されている。送受信アンテナ２０８および２０９は、無線ＬＡＮ３を通じてのパケットの送受を行なうためのものである。
【００７４】
ステーション装置部２０は、端末インターフェース２０２を通じて、電話機部３０からの呼設定メッセージのパケットや通話音声情報のパケットを、送受信アンテナ２０８または２０９を通じてアクセスポイント装置１０に送信する。また、アクセスポイント装置１０からの受信パケットを、端末インターフェース２０２を通じて電話機部３０に送る。
【００７５】
そして、制御部２０１は、この実施形態では、図３に示すようなブロック構成とされる。すなわち、ＣＰＵ２１０に対して、システムバス２１１を介して、ＲＯＭ２１２と、ＲＡＭ２１３と、パケット分解／生成部２１４と、受信バッファ２１５と、送信バッファ２１６と、間欠受信管理部２１７とが接続されている。
【００７６】
パケット分解／生成部２１４は、無線ＬＡＮ３を通じて取り込んだパケット化データを分解して、自分宛ての制御データや音声データを得る機能と、端末インターフェース２０２からの送信する制御データや音声データをパケット化して送出するパケット化データを生成する機能を有する。
【００７７】
受信バッファ２１５は、端末インターフェース２０２を通じて受け取ったパケットデータや、無線ＬＡＮ３から受け取ったパケットデータを一時格納するためのものである。
【００７８】
送信バッファ２１６は、送信しようとするパケットデータを一時格納しておくためのもので、送信情報のパケットを順次に待ち行列として蓄積してゆく送信キューを備える。
【００７９】
また、間欠受信管理部２１７は、当該パケット電話機２が通信を行なっていないときに、一定周期で、間欠受信状態を実行すると共に、間欠受信状態と間欠受信状態との間は、スタンバイ状態となって、バッテリー４０の電力消費を抑えるようにする。スタンバイ状態では、次の間欠受信状態に復帰するため、また、電話機部３０におけるユーザの発呼操作に応じて、パケット電話機２が立ち上がってアクティブ状態になるのに必要な部位にのみ、バッテリーから電源電圧が供給されており、非常に小さい消費電流とされている。
【００８０】
間欠受信管理部２１７は、ステーション装置部２０についての電源系を制御するだけでなく、電話機部３０の後述するＣＰＵ３１０を介在して、電話機部３０の電源系をも制御することができるようにしている。すなわち、パケット電話機２をスタンバイ状態にするときには、その旨を端末インターフェース２０２を通じて電話機部３０に通知すると共に、アクティブ状態に立ち上がるときには、その旨を端末インターフェース２０２を通じて通知するようにする。電話機部３０のＣＰＵ３１０は、これらの通知に応じて、電話機部３０の電源系を制御して、省電力を実現する。
【００８１】
間欠受信を実行する周期は、目的とする省電力量に応じたものとされるが、無線ＬＡＮの場合には、例えば、アクセスポイント装置１０から発生するビーコンの発生周期の２倍以上とされる。例えば、ビーコンの発生周期の４倍（この例では４００ミリ秒）とされている。パケット電話機２がスタンバイ状態から間欠受信状態になったときに、アクセスポイント装置１０からのビーコンを少なくとも一回は、受信することができるようにする必要があるため、ビーコン周期と同じ周期では省電力化することができないからである。
【００８２】
間欠受信において、アクセスポイント装置１０からのビーコンを受信したときに、当該ビーコンに自装置宛の未送信パケットがあることを示す通知が重畳されていることを認識したときには、ステーション装置部２０の間欠受信管理部２１７は、自パケット電話機２をスタンバイ状態からアクティブ状態に立ち上げ、自パケット電話機２が立ち上がったことを、アクセスポイント装置１０に通知するようにする。
【００８３】
アクセスポイント装置１０は、パケット電話機２についての立ち上がりの通知を受けると、当該立ち上がったパケット電話機宛ての未送信のパケットをユニキャスト送信するようにする。これに対して、パケット電話機２のステーション装置部２０は、受信確認情報をアクセスポイント装置１０に返し、受信確認をアクセスポイント装置１０に知らせる。その後は、パケット電話機２では、やり取りした未送信パケットの内容に応じた処理がなされることになる。
【００８４】
＜パケット電話機２の電話機部３０のハードウエア構成例＞
図４に、この実施形態のパケット電話機２の電話機部３０の内部ハードウエア構成例を示す。また、図５に、この実施形態のパケット電話機２の概観構成例を示す。
【００８５】
図４に示すように、電話機部３０は、コンピュータを備えて構成されており、ＣＰＵ３１０に対して、システムバス３１１を介して、ＲＯＭ３１２と、ＲＡＭ３１３と、ディスプレイコントローラ３１４と、操作入力インターフェース３１６と、ステーションインターフェース３１８と、パケット分解／生成部３１９と、音声データ入出力インターフェース３２０と、ＬＥＤ駆動制御部３２１と、回線状態記憶保持部３２７と、フレキシブルキー設定記憶保持部３２８とが接続されている。
【００８６】
ディスプレイコントローラ３１４には、この例ではＬＣＤ（Ｌｉｑｕｉｄ  Ｃｒｙｓｔａｌ  Ｄｉｓｐｌａｙ；液晶ディスプレイ）３１５が接続されており、このＬＣＤ３１５の表示画面３１５Ｄには、後述するように、ＣＰＵ３１０の制御にしたがった表示が行われる。
【００８７】
図５に示すように、この実施形態のパケット電話機２は、ノンロック式の押しボタンからなり、ＬＥＤ６１を内蔵する自照式のフレキシブルキーの複数個、図５の例では、４個のフレキシブルキーＦＫ１，ＦＫ２，ＦＫ３，ＦＫ４を備える。この例では、ＬＥＤ６１は、赤色および緑色の２色で切替表示することができるＬＥＤが用いられている。
【００８８】
そして、後述するように、この実施形態では、これらのフレキシブルキーＦＫ１，ＦＫ２，ＦＫ３，ＦＫ４のそれぞれには、主装置部１に収容される複数個の通信用回線の、例えば「着信中」、「外線空き」、「保留中」などの回線状態やパケット電話機２が備える機能が割り付けられる。
【００８９】
そして、ＬＣＤ３１５の表示画面３１５Ｄには、これらの複数のフレキシブルキーＦＫ１，ＦＫ２，ＦＫ３，ＦＫ４のいずれもが操作されていないときには、これらの複数のフレキシブルキーＦＫ１，ＦＫ２，ＦＫ３，ＦＫ４のそれぞれに対応するようにされているキー割付表示シンボル６２の複数個が表示される。キー割付表示シンボル６２は、この例では、フレキシブルキーＦＫ１，ＦＫ２，ＦＫ３，ＦＫ４に割り付けられた「着信」、「外線」、「保留」などの回線状態を示す文字表示および「機能」の文字表示からなる。
【００９０】
この例では、図５に示すように、フレキシブルキーＦＫ１，ＦＫ２，ＦＫ３，ＦＫ４のそれぞれの下側と、キー割付表示シンボル６２の下側には、対応するもの同士で同一の数字番号を付して、フレキシブルキーＦＫ１，ＦＫ２，ＦＫ３，ＦＫ４とキー割付表示シンボル６２との対応付けの認識を、ユーザが容易にできるようにしている。なお、この対応付けのための数字番号は、下側ではなく、横にあっても、上にあってもよく、要は、両者の対応付けが分かるような位置であれば、何処でもよい。
【００９１】
ここで、フレキシブルキーＦＫ１〜ＦＫ４のそれぞれに対して、回線状態のいずれが割り付け設定されるか、あるいは機能が割り付け設定されるかは、予め固定的に定められていても良いが、この実施形態では、フレキシブルキーＦＫ１〜ＦＫ４のそれぞれに対して、ユーザが任意に割り付け設定ができるようにされている。
【００９２】
そして、ＬＣＤ画面３１５Ｄには、フレキシブルキーＦＫ１〜ＦＫ４のそれぞれに割付設定された回線状態や機能に応じたキー割付表示シンボル６２が、ＣＰＵ３１０の制御の下に表示される。
【００９３】
複数個のフレキシブルキーＦＫ１〜ＦＫ４のそれぞれに対する回線状態や機能の割付設定は、この実施形態のビジネスホンシステムの設置工事の際に、オペレータが行なうことができる。また、後の時点において、ユーザが、パケット電話機２が備えるメニューから「設定」の項目を選択して、当該「設定」において、行なうことができるように構成されている。
【００９４】
複数個のフレキシブルキーＦＫ１〜ＦＫ４のそれぞれに、どの回線状態あるいは機能が割付設定されたかの設定情報は、フレキシブルキー設定記憶保持部３２８に保持される。各フレキシブルキーＦＫ１〜ＦＫ４の設定内容が変更されたときには、フレキシブルキー設定記憶保持部３２８に保持されている設定情報が、その変更に応じて更新される。
【００９５】
このフレキシブルキーＦＫ１，ＦＫ２，ＦＫ３，ＦＫ４に対する設定および操作、また、それらに関連するＬＥＤ６１の表示やＬＣＤ画面３１５Ｄの表示内容に関する説明は、後でさらに詳述する。
【００９６】
操作入力インターフェース３１６には、操作入力部３１７が接続されている。この操作入力部３１７は、図５に示すように、複数個のフレキシブルキーＦＫ１〜ＦＫ４の他、テンキー５１と、上キー５２、下キー５３、左キー５４、右キー５５および決定キー５６からなるカーソルキーや、保留キー５７、応答キー５８などの操作キーを含む。
【００９７】
ＣＰＵ３１０は、操作入力インターフェース３１６を介して操作入力部３１７を通じて使用者がいずれの操作キーを操作したかを認識し、その認識結果に基づいて、キー入力操作に応じた処理をＲＯＭ３１２のプログラムに従って実行する。
【００９８】
ＲＯＭ３１２には、主装置部１から受信した回線状態の情報に応じたＬＥＤ６１やＬＣＤ３１５の表示画面３１５Ｄの表示制御のプログラム、無線ＬＡＮ３を通じた発信時や着信時の処理シーケンスを実行するプログラム、その他の処理を実行するためのプログラムなどが記憶されている。ＲＡＭ３１３は、主としてＲＯＭ３１２のプログラムがＣＰＵ３１０によって実行される際にワークエリアとして使用される。
【００９９】
ステーションインターフェース３１８は、ステーション装置部２０に接続され、当該ステーション装置部２０を通じて送られてくるパケット化データを取り込み、また、ステーション装置部２０にパケット化データを送出するための機能を備える。
【０１００】
パケット分解／生成部３１９は、インターフェース３１８により取り込んだパケット化データを分解して、回線状態の情報、制御データや音声データを得る機能と、送信する制御データや音声データをパケット化して送出するパケット化データを生成する機能を有する。このパケット分解／生成部３１９は、パケット化データを分解したり、生成したりするためのバッファメモリを備える。
【０１０１】
なお、このパケット分解／生成部３１９のパケット分解処理機能や生成処理機能は、ＣＰＵ３１０と、ＲＯＭ３１２とにより、ソフトウエアとして実現することもできる。
【０１０２】
音声データ入出力インターフェース３２０は、パケット分解されて得られた音声データをアナログ音声信号に変換して、アンプ３２３を通じて受話器を構成するスピーカ３２４に供給するようにする。また、送話器としてのマイクロホン３２５からの送話音声信号がアンプ３２６を通じてこの音声データ入出力インターフェース３２０に供給される。音声データ入出力インターフェース３２０は、この送話音声信号をデジタル音声信号に変換し、システムバス３１１を通じてパケット生成のためにパケット分解／生成部３１９に供給するようにする。
【０１０３】
ＬＥＤ駆動制御部３２１には、この例では、前述した複数個のＬＥＤ６１からなるＬＥＤ群３２２が接続され、無線ＬＡＮ１５を通じて受信する回線状態の通知情報パケットの解析結果に応じて、それらＬＥＤ群３２２を構成する各ＬＥＤ６１の点灯、消灯、点滅などが個別に制御される。また、この例では、フレキシブルキーＦＫ１〜ＦＫ４の操作に応じて、対応するＬＥＤ６１の表示制御がなされる。
【０１０４】
なお、図５において、６４は、スピーカ３２４からの音声を放音するための孔部であり、また、６５は、マイクロホン３２５が音声を収音するための孔部である。
【０１０５】
回線状態情報記憶保持部３２７は、主装置部１に収容されている複数の通信用回線の回線状態を記憶保持する。この回線状態情報記憶保持部３２７および前述したフレキシブルキー設定記憶保持部３２８は、ＲＡＭ３１３の一部としても良い。
【０１０６】
図６は、回線状態情報記憶保持部３２７の記憶情報の一例である。この例の場合、図６に示すように、主装置部１に収容されている複数の回線のそれぞれについては、その識別番号としての回線番号と回線種別とが登録されて記憶されている。この回線番号と、回線種別の回線状態情報記憶保持部３２７への書き込みは、例えば、ビジネスホンシステムの設置時に設置業者（オペレータ）によりなされる。
【０１０７】
そして、この例の回線状態情報記憶保持部３２７は、図６に示すように、主装置部１が収容している複数の回線の状態を、回線状態別に記憶保持するようにしている。回線状態としては、この例では、「着信中」と、「外線空き状態」と、「保留中」とが記憶保持される。
【０１０８】
そして、パケット電話機２は、主装置部１からの回線状態の変化通知として着信通知を受け取ったときには、その着信通知情報を解析して、どの回線への着信であるか、また、当該着信が当該パケット電話機２宛ての個別着信であるのか、ビジネスホンシステム全体に対する一般着信であるのか、あるいは、ＣＥＳ着信であるかを判別し、その判別結果を、回線状態情報記憶保持部３２７に記憶保持する。図６は、回線番号「０１」では一般着信の着信中であり、回線番号「０４」では個別着信の着信中であり、回線番号「０９」ではＣＥＳ着信の着信中であることが記憶保持されていることを示している。
【０１０９】
また、パケット電話機２は、主装置部１からの回線状態の変化通知としてシステム保留情報を受け取ったときには、どの回線が保留中になったかを判別して、図６に示すように、その判別結果を、回線状態情報記憶保持部３２７に記憶保持する。また、パケット電話機２のユーザが通話中に、その外線を保留したときには、その外線は自己保留中として、回線状態情報記憶保持部３２７に記憶保持する。図６は、回線番号「０７」および「０８」ではシステム保留中であり、回線番号「１０」では自己保留中であることが記憶保持されていることを示している。すなわち、この実施形態では、保留中回線の情報としては、回線番号と、その保留種別とが、回線状態情報記憶保持部３２７に記憶保持されるものである。
【０１１０】
また、パケット電話機２は、主装置部１からの回線状態の変化通知として外線使用中を受け取ったときには、どの回線が使用中になったかを判別して、図６に示すように、その判別結果を、回線状態情報記憶保持部３２７に記憶保持する。また、パケット電話機２では、保留中の回線および着信中の回線も、外線使用中として、認識される。図６では、回線番号「０３」、「０５」および「０６」が外線空き状態であり、他の回線は使用中であることが記憶保持されていることを示している。
【０１１１】
［パケット電話機２のフレキシブルキーＦＫ１〜ＦＫ４の説明］
前述したように、この実施の形態では、複数個のフレキシブルキーＦＫ１〜ＦＫ４のそれぞれには、回線状態あるいは機能が割り付け設定される。
【０１１２】
＜フレキシブルキーＦＫ１（着信キー）＞
図５の実施形態では、フレキシブルキーＦＫ１には、「着信中」の回線状態が割り付け設定される。そして、この実施形態では、主装置部１に収容されている複数の通信用回線のうち、着信中である回線が、このフレキシブルキーＦＫ１に対応付けされて、回線状態情報記憶保持部３２７に記憶され、後述するように、このフレキシブルキーＦＫ１をユーザが押下すると、そのときに着信中である回線の一覧がＬＣＤ表示画面３１５Ｄに表示されるように構成されている。
【０１１３】
したがって、この例では、フレキシブルキーＦＫ１に対応するＬＣＤ画面３１５Ｄのキー割付表示シンボル６２は、「着信」の文字表示とされる。この「着信」の文字表示は、この例においては、図７（Ａ）に示すように、着信中の回線がないときには、ＬＣＤ画面３１５Ｄにおいては表示されない。
【０１１４】
そして、着信中の回線が一つでもあると、図７（Ｂ）に示すように、ＬＣＤ表示画面３１５Ｄに、「着信」の文字表示からなるキー割付表示シンボル６２が表示されて、当該パケット電話機２のユーザに着信が報知される。また、この着信中の回線が一つでも生じた状態では、フレキシブルキーＦＫ１のＬＥＤ６１が赤で点滅して、着信を、重ねてユーザに知らせるようにする。
【０１１５】
この例においては、パケット電話機２は、前述したように、主装置部１から着信通知を受け取ったときには、着信が当該パケット電話機２宛ての個別着信であるのか、ビジネスホンシステム全体に対する一般着信であるのか、あるいは、ＣＥＳ着信であるかを判別し、その判別結果を、回線状態情報記憶保持部３２７に記憶保持すると共に、それらの着信種別に応じて、ＬＥＤ６１の点滅周期を変えるなどして、どの着信種別であるかもユーザに報知することができるようにしている。また、この例のパケット電話機２では、さらに、着信音が着信種別に応じて変更されて、区別できるようにされている。
【０１１６】
なお、複数の着信が同時に生じたときには、例えば、予め定められた優先順位の高い着信種別、ここでは、個別着信＞ＣＥＳ着信＞一般着信の順の優先順位（左側ほど優先順位が高い）で、その着信種別に応じたＬＥＤ点滅表示および着信音を発生させるようにする。
【０１１７】
そして、後述するように、着信中に、フレキシブルキーＦＫ１が押下操作されたときには、パケット電話機２は、回線状態情報記憶保持部３２７の回線状態「着信中」の行を参照して、ＬＣＤ画面３１５Ｄには、図７（Ｃ）または図７（Ｄ）に示すように、着信中の回線を一覧表示するようにする。この場合、着信中の回線の一覧表示は、１つの回線について、その回線番号とその着信種別とを１行として表示するようにしている。
【０１１８】
この実施形態のパケット電話機２では、この一覧表示について、優先順表示モードと、非優先順表示モードとをユーザが選択設定することができるようにされている。
【０１１９】
この着信中についての優先順表示モードにおいては、上述した着信種別の優先順で、着信中の回線の一覧を表示する。図７（Ｃ）は、この優先順表示モードの場合のＬＣＤ表示画面３１５Ｄの一例で、前述した着信種別の優先順に、１回線を、回線番号と着信種別からなる１行として行単位で、複数の着信中回線が表示されている。
【０１２０】
また、着信中についての非優先順表示モードにおいては、着信種別の優先順位に関係なく、回線番号の順に着信中の回線の一覧を表示する。図７（Ｄ）は、この非優先順表示モードの場合のＬＣＤ表示画面３１５Ｄの一例であり、回線番号の順番に、１回線を１行として行単位で、複数の着信中回線が表示されている。
【０１２１】
ここで、図７（Ｃ）および（Ｄ）においてアンダーラインで示すカーソル表示７０が付与されている行が、選択状態の回線を示しており、上キー５２または下キー５３を操作することにより、カーソル表示７０を移動させて、選択状態の回線を変更することができ、決定キー５６が押されると、その操作は、そのときに選択状態であった回線の着信を取る操作（着信応答）とされる。
【０１２２】
優先順表示モードでは、フレキシブルキーＦＫ１を押下すると、着信中回線の中で、着信種別の優先順位に最も高い回線が一番上に来て、カーソル表示７０が、必ずその位置になっているので、ユーザは、常に優先順位の高い着信種別を早く選択することができる。
【０１２３】
すなわち、例えば、個別着信があるときには、当該個別着信にカーソル表示７０が位置しているので、フレキシブルキーＦＫ１を押下した後、決定キー５６を押すだけで、当該個別着信を取ることができる。このように、優先順表示モードでは、優先順位の高い着信種別の着信を常に先に取ることができるようになるので、使い勝手が良い。
【０１２４】
なお、この実施形態では、フレキシブルキーＦＫ１が押下操作されたときに、着信中回線が１回線のみであるときには、決定キー５６を操作しなくても、当該フレキシブルキーＦＫ１の操作を着信応答操作と見なして、着信を取ることができるようにしている。
【０１２５】
さらに、フレキシブルキーＦＫ１を押下操作しなくても、応答キー５８を操作することにより、着信中回線に応答することができるようにもされている。このとき、複数の回線が着信中状態であるときには、着信応答する回線は、フレキシブルキーＦＫ１が押下操作されたときに一覧表示される回線の一番上に表示される、カーソル７０で選択中となる回線である。なお、応答キー５８の代わりにオフフックキーを設けて、着信中に当該オフフックキーが操作されたときに、着信応答とするようにしても良い。
【０１２６】
＜フレキシブルキーＦＫ２（外線キー）＞
この実施形態では、フレキシブルキーＦＫ２には、「外線空き」の回線状態が割り付け設定される。そして、この実施形態では、主装置部１に収容されている複数の通信用回線のうち、空き状態である回線が、このフレキシブルキーＦＫ２に対応付けされて、回線状態情報記憶保持部３２７に記憶され、後述するように、このフレキシブルキーＦＫ２をユーザが押下すると、そのときに空き状態である回線の一覧がＬＣＤ表示画面３１５Ｄに表示されるように構成されている。
【０１２７】
したがって、この例では、フレキシブルキーＦＫ２に対応するＬＣＤ画面３１５Ｄのキー割付表示シンボル６２は、「外線」の文字表示とされる。この「外線」の文字表示は、この例においては、図８（Ａ）に示すように、空き状態の回線が１回線でもあるときには、ＬＣＤ画面３１５Ｄにおいて表示される。
【０１２８】
そして、空き状態の回線が全くなくなると、図８（Ｂ）に示すように、ＬＣＤ表示画面３１５Ｄに、「外線」の文字表示からなるキー割付表示シンボル６２が消去されて、当該パケット電話機２のユーザに空き外線無しが報知される。
【０１２９】
この実施形態では、フレキシブルキーＦＫ２は、外線空き状態に対応付けられているので、当該フレキシブルキーＦＫ２のＬＥＤ６１は、他のパケット電話機２で外線を使用中の表示をすることはしない。
【０１３０】
この実施形態では、ユーザが、外線発信をすべく、このフレキシブルキーＦＫ２を押下操作すると、パケット電話機２は、フレキシブルキーＦＫ２のＬＥＤ６１を緑色点灯すると共に、回線状態情報記憶保持部３２７の回線状態「外線空き状態」の行を参照して、ＬＣＤ画面３１５Ｄには、図９（Ａ）または図９（Ｂ）に示すように、空き状態の回線を一覧表示するようにする。この場合、外線空き状態の回線の一覧表示は、１つの回線について、その回線番号とその回線種別とを１行として表示するようにしている。
【０１３１】
この実施形態のパケット電話機２では、この外線空き状態の一覧表示についても、優先順表示モードと、非優先順表示モードとをユーザが選択設定することができるようにされている。
【０１３２】
この外線空き状態についての優先順表示モードにおいては、回線種別について、例えば通信料が安価な順に優先順位を決定する。つまり、この例では、通信料が安価な回線種別ほど高優先順位とする。図９（Ａ）は、外線空き状態の一覧表示についての優先順表示モードの場合のＬＣＤ表示画面３１５Ｄの一例で、前述した回線種別の優先順に、１回線を１行として行単位で、空き状態の回線の一覧が表示されている。
【０１３３】
また、外線空き状態の一覧表示についての非優先順表示モードにおいては、回線種別の優先順位に関係なく、回線番号の順に空き状態の回線の一覧を表示する。図９（Ｂ）は、非優先順表示モードの場合のＬＣＤ表示画面３１５Ｄの一例であり、回線番号の順番に、１回線を１行として行単位で、複数の空き状態の回線が表示されている。
【０１３４】
ここで、図９（Ａ）および（Ｂ）においてアンダーラインで示すカーソル表示７０が付与されている行が、選択状態の回線を示しており、上キー５２または下キー５３を操作することにより、カーソル表示７０を移動させて、選択状態の回線を変更することができ、決定キー５６が押されると、その操作は、そのときに選択状態であった回線の捕捉要求とされる。
【０１３５】
優先順表示モードでは、フレキシブルキーＦＫ２を押下すると、空き状態の回線の中で、回線種別の優先順位に最も高い、通信料が安価な回線が一番上に来て、カーソル表示７０が、必ずその位置になっているので、ユーザは、常に優先順位の高い通信料が安価な回線種別の回線を早く選択して捕捉することができる。
【０１３６】
なお、この実施形態では、フレキシブルキーＦＫ２が押下操作されたときに、空き状態である回線が１回線のみであるときには、決定キー５６を操作しなくても、当該フレキシブルキーＦＫ２の操作を、当該空き状態の回線の捕捉要求操作と見なすようにしている。これにより、空き回線が一つであるときには、決定キー５６の操作を省略することができる。
【０１３７】
なお、オフフックキーを設けて、当該オフフックキーを操作したときには、外線空き状態の回線であって、フレキシブルキーＦＫ２が押下操作されたときに表示される一覧表示において、一番上に表示される行の回線の捕捉要求とするようにしてもよい。
【０１３８】
＜フレキシブルキーＦＫ３（保留中キー）＞
この実施形態では、フレキシブルキーＦＫ３には、「保留中」の回線状態が割り付け設定される。そして、この実施形態では、主装置部１に収容されている複数の通信用回線のうち、保留中である回線が、このフレキシブルキーＦＫ３に対応付けされて、回線状態情報記憶保持部３２７に記憶され、後述するように、このフレキシブルキーＦＫ３をユーザが押下すると、そのときに保留中である回線の一覧がＬＣＤ表示画面３１５Ｄに表示されるように構成されている。
【０１３９】
したがって、この例では、フレキシブルキーＦＫ３に対応するＬＣＤ画面３１５Ｄのキー割付表示シンボル６２は、「保留」の文字表示とされる。この「保留」の文字表示は、この例においては、図１０（Ａ）に示すように、保留中の回線がないときには、ＬＣＤ画面３１５Ｄにおいては表示されない。
【０１４０】
そして、保留状態である回線が一つでもあると、図１０（Ｂ）に示すように、ＬＣＤ表示画面３１５Ｄに、「保留」の文字表示からなるキー割付表示シンボル６２が表示されて、当該パケット電話機２のユーザに保留中の回線有りが報知される。また、この保留中の回線が一つでも生じた状態では、フレキシブルキーＦＫ２のＬＥＤ６１が赤で点滅して、保留中の回線有りを、重ねてユーザに知らせるようにする。
【０１４１】
この例においては、パケット電話機２は、前述したように、主装置部１から保留回線についての通知情報を受け取ったときには、当該保留をシステム保留として判別し、その判別結果の回線番号についてシステム保留を、回線状態情報記憶保持部３２７に記憶保持すると共に、ＬＥＤ６１をシステム保留に応じた点滅表示する。
【０１４２】
また、パケット電話機２は、自端末で、通話中に保留キー５７が押下操作されて保留状態にされたときには、当該回線を自己保留状態として、その情報を、回線状態情報記憶保持部３２７に記憶保持すると共に、ＬＥＤ６１を自己保留に応じた点滅表示する。
【０１４３】
ここで、システム保留と自己保留とを区別するＬＥＤ６１表示は、例えば点滅周期を変えるなどしてなされる。
【０１４４】
なお、この実施形態では、保留中の回線が複数あるときには、自己保留があれば、ＬＥＤ６１は、自己保留に応じて点滅をするように構成されている。
【０１４５】
そして、後述するように、いずれかの回線を保留中に、フレキシブルキーＦＫ３が押下操作されたときには、パケット電話機２は、回線状態情報記憶保持部３２７の回線状態「保留中」の行を参照して、ＬＣＤ画面３１５Ｄには、図１０（Ｃ）または図１０（Ｄ）に示すように、保留中の回線を一覧表示するようにする。この場合、保留中の回線の一覧表示は、１つの回線について、その回線番号とその保留種別とを１行として表示するようにしている。
【０１４６】
この実施形態のパケット電話機２では、この保留中回線の一覧表示についても、優先順表示モードと、非優先順表示モードとをユーザが選択設定することができるようにされている。
【０１４７】
そして、保留中回線の一覧表示についての優先順表示モードにおいては、自己保留を上位の優先順位として、保留中の回線の一覧を表示する。図１０（Ｃ）は、この優先順表示モードの場合のＬＣＤ表示画面３１５Ｄの一例で、前述した保留種別の優先順に、１回線を、回線番号と保留種別からなる１行として行単位で、複数の保留中回線が表示されている。
【０１４８】
また、保留中回線の一覧表示についての非優先順表示モードにおいては、保留種別の優先順位に関係なく、回線番号の順に保留中の回線の一覧を表示する。図１０（Ｄ）は、この非優先順表示モードの場合のＬＣＤ表示画面３１５Ｄの一例であり、回線番号の順番に、１回線を１行として行単位で、複数の保留中回線が表示されている。
【０１４９】
ここで、図１０（Ｃ）および（Ｄ）においてアンダーラインで示すカーソル表示７０が付与されている行が、選択状態の保留回線を示しており、上キー５２または下キー５３を操作することにより、カーソル表示７０を移動させて、選択状態の保留回線を変更することができ、決定キー５６が押されると、その操作は、そのときに選択状態であった保留回線の保留解除操作とされる。
【０１５０】
優先順表示モードでは、フレキシブルキーＦＫ３を押下すると、保留中回線の中で、保留種別の優先順位の高い自己保留の回線が一番上に来て、カーソル表示７０が、必ずその位置になっているので、ユーザは、常に自己保留中の回線に対する保留解除要求を早く選択することができるので、使い勝手が良い。
【０１５１】
なお、この実施形態では、フレキシブルキーＦＫ３が押下操作されたときに、保留中回線が１回線のみであるときには、決定キー５６を操作しなくても、当該フレキシブルキーＦＫ３の操作を保留解除要求操作と見なして、保留を解除することができるようにしている。
【０１５２】
＜フレキシブルキーＦＫ４（機能キー）＞
この実施形態では、フレキシブルキーＦＫ４には、パケット電話機２が備える機能のグループが割り付け設定される。この例では、割付可能な機能としては、ワンタッチ機能、ボイスメール機能、などが用意されている。ワンタッチ機能は、予め登録されている電話番号へワンタッチ（１つの操作）で発信することができる機能であり、複数の相手電話番号分、登録設定可能とされている。
【０１５３】
フレキシブルキーＦＫ４には、１つの機能ではなく、複数個の機能を割付設定することもできるが、上述のワンタッチ機能のように、１つの機能で複数個分を登録することができる場合には、当該１つの機能のグループを、フレキシブルキーＦＫ４に割付設定することもできる。
【０１５４】
このフレキシブルキーＦＫ４への機能の割付設定は、例えばユーザによりなされる。割付設定された機能の情報は、フレキシブルキー設定記憶保持部３２８に登録されて、記憶保持される。
【０１５５】
図１１に、フレキシブルキー設定記憶保持部３２８の記憶情報の一例を示す。すなわち、フレキシブルキー設定記憶保持部３２８には、４個のフレキシブルキーＦＫ１〜ＦＫ４について、割り付けられた設定情報が記憶保持される。
【０１５６】
すなわち、前述したように、フレキシブルキーＦＫ１は、回線状態の「着信中」が割り付けられており、このフレキシブルキーＦＫ１に対応付けられて、それを示す情報が、設定内容情報として記憶保持されている。
【０１５７】
また、フレキシブルキーＦＫ２は、回線状態の「外線空き状態」が割り付けられており、このフレキシブルキーＦＫ２に対応付けられて、それを示す情報が、設定内容情報として記憶保持されている。また、フレキシブルキーＦＫ３は、回線状態の「保留中」が割り付けられており、このフレキシブルキーＦＫ３に対応付けられて、それを示す情報が、設定内容情報として記憶保持されている。
【０１５８】
そして、フレキシブルキーＦＫ４は、パケット電話機２が有する機能のうち、ユーザに設定登録された機能が割り付けられている。そして、フレキシブルキーに対して機能が割り付けられた場合には、その機能に関する詳細設定情報も、このフレキシブルキー設定記憶保持部３２８に併せて記憶保持される。すなわち、この例においては、フレキシブルキー設定記憶保持部３２８には、予め設定可能な機能数が定められていると共に、機能番号が予め登録されている。
【０１５９】
図１１の例においては、機能番号「１１」、「１２」および「１４」には、ワンタッチ機能が、割り付け設定されていると共に、機能番号「１５」には、ボイスメール再生機能が割付設定されている。そして、図１１に示すように、この実施形態では、ワンタッチ機能については、ユーザにより設定入力された、ワンタッチ機能により発信する相手の電話番号も記憶保持されている。
【０１６０】
また、図１１では、図示を省略したが、この実施形態では、各機能番号に対応する情報として、当該機能番号の機能の使用頻度情報が書き込まれるようにされている。この使用頻度情報は、後述するように、機能の一覧表示の際の優先順位を決めるための情報として用いられる。
【０１６１】
以上のように、フレキシブルキーＦＫ４は機能キーとして割り付けられるので、このフレキシブルキーＦＫ４に対応するＬＣＤ画面３１５Ｄのキー割付表示シンボル６２は、「機能」の文字表示とされる。この「機能」の文字は、この例においては、図１２（Ａ）に示すように、フレキシブルキーＦＫ４に全く機能が割り付けられていないときには、表示されない。そして、フレキシブルキーＦＫ４に、一つでも機能が割付設定されると、図１２（Ｂ）に示すように、「機能」の文字からなるキー割付表示シンボル６２が、ＬＣＤ画面３１５Ｄにおいて表示される。
【０１６２】
そして、この実施形態では、ユーザが、このフレキシブルキーＦＫ４を押下操作すると、パケット電話機２は、フレキシブルキーＦＫ４のＬＥＤ６１を緑色点灯すると共に、フレキシブルキー設定記憶保持部３２８の、当該フレキシブルキーＦＫ４に対応して記憶されている機能設定内容を参照して、ＬＣＤ画面３１５Ｄには、図１３（Ａ）または図１３（Ｂ）に示すように、フレキシブルキーＦＫ４に設定されている機能を一覧表示するようにする。この場合、一覧表示は、１つの機能について、その機能番号と、その機能内容とを１行として表示するようにしている。
【０１６３】
この実施形態のパケット電話機２では、この機能の一覧表示についても、優先順表示モードと、非優先順表示モードとをユーザが選択設定することができるようにされている。
【０１６４】
この機能についての優先順表示モードにおいては、前述したように、使用頻度の高いもの順に優先順位を決定する。つまり、使用頻度の高い機能番号の機能ほど高優先順位とする。図１３（Ａ）は、機能の一覧表示についての優先順表示モードの場合のＬＣＤ表示画面３１５Ｄの一例で、使用頻度が高い機能番号の機能順に、行単位で、複数の機能が一覧表示されている。
【０１６５】
また、機能の一覧表示についての非優先順表示モードにおいては、機能の使用頻度に関係なく、機能番号の順に設定機能の一覧を表示する。図１３（Ｂ）は、非優先順表示モードの場合のＬＣＤ表示画面３１５Ｄの一例であり、機能番号の順番に、行単位で、複数の機能が一覧表示されている。
【０１６６】
ここで、図１３（Ａ）および（Ｂ）においてアンダーラインで示すカーソル表示７０が付与されている行が、選択状態の回線を示しており、上キー５２または下キー５３を操作することにより、カーソル表示７０を移動させて、選択状態の機能を変更することができ、決定キー５６が押されると、その操作は、そのときに選択状態であった機能の実行要求とされる。
【０１６７】
優先順表示モードでは、フレキシブルキーＦＫ４を押下すると、いつも良く使う機能が一番上に来て、カーソル表示７０が、必ずその位置になっているので、ユーザは、いつも良く使う機能を早く選択して利用することができる。
【０１６８】
なお、この実施形態では、フレキシブルキーＦＫ４が押下操作されたときに、設定されている機能が１個のみであるときには、決定キー５６を操作しなくても、当該フレキシブルキーＦＫ４の操作を、当該機能の実行要求操作と見なすようにしている。これにより、設定機能が一つであるときには、フレキシブルキーＦＫ４を、当該設定機能キーとして利用することができ、決定キー５６の操作を省略することができる。
【０１６９】
なお、この実施形態のパケット電話機２では、例えば上キー５２はメニュー表示キーを兼用するようにされており、この上キー５２を操作することにより、表示画面３１５Ｄに表示されたメニューを見ながら、ユーザは、上キー５２、下キー５３、左キー５４、右キー５５などのカーソルキーや、テンキー５１の一部などを操作することにより、各フレキシブルキーＦＫ１〜ＦＫ４に対する回線状態や機能の設定、また、ワンタッチなどの機能についての詳細設定を設定しておくことができるようにされている。
【０１７０】
［回線状態の通知情報の授受と、表示画面の表示］
次に、主装置部１のサーバ装置１２、アクセスポイント装置１０およびパケット電話機２の電話機部３０の処理動作を、フローチャートを参照しながらさらに説明する。
【０１７１】
収容している複数の回線のいずれかの回線状態が変化したときの、主装置部１における動作について先ず説明する。図１４は、このときの主装置部１のサーバ装置１２の動作を説明するためのフローチャートである。
【０１７２】
すなわち、サーバ装置１２は、前述もしたように常に複数の収容回線の回線状態を監視している（ステップＳ１）。そして、外線回線を通じた着信、パケット電話機２からの発信要求、保留要求、保留解除要求などのイベントに応じて、複数の回線のうちのいずれかに、回線状態が変化したか否か判別し（ステップＳ２）、回線状態が変化したと判別したときには、回線状態が変化した回線の識別情報と、その変化後の回線状態とを含めたマルチキャストパケットを、重要パケットとしてアクセスポイント装置１０に送る（ステップＳ３）。
【０１７３】
そして、アクセスポイント装置１０からの応答ＡＣＫの受信を確認したら（ステップＳ４）、ステップＳ１に戻って、回線状態の変化の監視状態に戻る。
【０１７４】
前述したように、この実施形態では、アクセスポイント装置１０は、着信通知を含む回線状態の変化情報などの重要情報は、サーバ装置１２からマルチキャストパケットとして受信しても、全てのパケット電話機２に対して個別のユニキャストパケットとして送るようにする。これにより、パケット電話機２が間欠受信を行なっていても、全てのパケット電話機２に、回線状態の変化情報を通知することができる。
【０１７５】
次に、この主装置部１からの回線状態の変化情報を受けるパケット電話機２の動作を、図１５のフローチャートおよび前述したＬＣＤ３１５の画面３１５Ｄの表示例を参照しながら説明する。図１５のフローチャートの各ステップの処理は、パケット電話機２のＣＰＵ３１０が、ＲＯＭ３１２に記憶されているプログラムに従って、ＲＡＭ３１３をワークエリアとして用いて実行するものである。
【０１７６】
図１５に示すように、パケット電話機２のＣＰＵ３１０は、常に、主装置部１から回線状態の変化情報を受信したかどうかを監視する（ステップＳ１１）。そして、主装置部１から回線状態の変化情報を受信したと判別したときには、ＣＰＵ３１０は、受信した回線状態の変化情報を解析し、回線の識別情報に基づいて、変化した回線を判別すると共に、その変化後の回線状態を検出し（ステップＳ１２）、その検出結果に基づいて、回線状態情報記憶保持部３２７の記憶情報を更新する（ステップＳ１３）。
【０１７７】
そして、ＣＰＵ３１０は、ステップＳ１２での検出の結果、変化後の回線状態は着信であるか否かを判別し（ステップＳ１４）、着信であると判別したときには、図７（Ｂ）に示したように、この例の着信キーであるフレキシブルキーＦＫ１のＬＥＤ６１を赤色の点滅状態にする（ステップＳ１５）と共に、ＬＣＤ表示画面３１５ＤのフレキシブルキーＦＫ１に対応するキー割付表示シンボル６２として「着信」の文字が表示されていなければ、その「着信」の文字を表示し（ステップＳ１６）、着信をユーザに知らせる。なお、このとき、同時に、着信音を鳴らしたり、パケット電話機を振動させたりして、着信をユーザに知らせる。
【０１７８】
次に、ＣＰＵ３１０は、回線状態情報記憶保持部３２７の外線空き状態についての記憶保持情報を参照して、外線空き状態の回線がなくなったか否か判別する（ステップＳ１７）。外線空き状態の回線がなくなってはいないときには、そのままこの処理ルーチンを抜ける。また、外線空き状態の回線がなくなったときには、図８（Ａ）のようにＬＣＤ表示画面３１５Ｄに表示されていた、外線キーであるフレキシブルキーＦＫ２に対応するキー割付表示シンボル６２の「外線」の文字表示を、図８（Ｂ）に示すように消去し（ステップＳ１８）、その後、この処理ルーチンを抜ける。
【０１７９】
また、ステップＳ１４で、着信ではないと判別したときには、ＣＰＵ３１０は、変化後の回線状態は保留であるか否か判別し（ステップＳ１９）、保留ではないと判別したときには、変化後の回線状態は回線使用中であると判別して、ステップＳ１７に進み、前述したステップＳ１７以降の処理を実行する。
【０１８０】
また、ステップＳ１９で、変化後の回線状態は保留であると判別したときには、ＣＰＵ３１０は、回線状態情報記憶保持部３２７の回線状態「保留中」についての情報を参照して、既に他の回線の保留中であるか否か判別する（ステップＳ２０）。
【０１８１】
このステップＳ２０において、既に他の回線の保留中であると判別したときには、ＣＰＵ３１０は、図１０（Ｂ）に示したように、既に、保留キーであるフレキシブルキーＦＫ３のＬＥＤ６１により保留中の表示をしていると共に、ＬＣＤ表示画面３１５Ｄにおいて、前記フレキシブルキーＦＫ３に対応するキー割付表示シンボル６２の「保留」の文字表示をしているので、そのままこの処理ルーチンを抜ける。
【０１８２】
また、このステップＳ２０において、他の回線の保留中ではないと判別したときには、ＣＰＵ３１０は、保留中キーであるフレキシブルキーＦＫ３のＬＥＤ６１を、システム保留を表わす赤色の点滅表示を行なう（ステップＳ２１）と共に、フレキシブルキーＦＫ３に対応するキー割付表示シンボル６２として、「保留」の文字を表示する（ステップＳ２２）。その後、この処理ルーチンを抜ける。
【０１８３】
［パケット電話機２におけるユーザのキー操作に対応する表示制御等の処理］
次に、パケット電話機２において、ユーザがキー操作入力をしたときの、ＣＰＵ３１０による表示制御およびその関連制御を、図１６〜図２０のフローチャートおよび前述した表示例の図を参照しながら説明する。この図１６〜図２０のフローチャートの各ステップの処理は、パケット電話機２のＣＰＵ３１０が、ＲＯＭ３１２に記憶されているプログラムに従って、ＲＡＭ３１３をワークエリアとして用いて実行するものである。
【０１８４】
先ず、ＣＰＵ３１０は、ユーザによりキー操作がなされたか否かを常に監視し（図１５のステップＳ３１）、キー操作がなされたと判別したときには、操作されたキーは、応答キー５８であるか否か判別し（ステップＳ３２）、応答キーであると判別したときには、着信中であるか否かを回線状態情報記憶保持部３２７を参照して判別する（ステップＳ３３）。
【０１８５】
ステップＳ３３で、着信中ではないと判別したときには、ＣＰＵ３１０は、応答キー５８の操作は誤操作であるとして、当該操作を無視し、ステップＳ３１に戻る。また、ステップＳ３３で、着信中であると判別したときには、ＣＰＵ３１０は、着信応答の処理し、また、通話状態への移行処理をする（ステップＳ３４）。そして、着信キーであるフレキシブルキーＦＫ１のＬＥＤ６１を、着信中の点滅表示から、使用中を示す赤点灯に変える（ステップＳ３５）。
【０１８６】
そして、次にＣＰＵ３１０は、通話が終話したか否か判別し（ステップＳ３６）、終話したと判別したときには、当該終話した回線の識別情報を含む終話通知を主装置部１に送るとともに、回線状態情報記憶保持部３２７の記憶情報を更新して終話処理をする（ステップＳ３７）。
【０１８７】
そして、ＣＰＵ３１０は、そのときの回線状態情報記憶保持部３２７の記憶内容を参照して、ＬＣＤ表示画面３１５Ｄの表示内容およびフレキシブルキーＦＫ１〜ＦＫ４のＬＥＤ６１の表示状態を、当該記憶内容に応じたものとする（ステップＳ３８）。そして、ステップＳ３１に戻る。
【０１８８】
また、ステップＳ３２で、操作されたキーは、応答キー５８ではないと判別したときには、ＣＰＵ３１０は、操作されたキーは、保留キー５７であるか否か判別する（ステップＳ３９）。このステップＳ３９で、操作されたキーは保留キー５７であると判別したときには、ＣＰＵ３１０は、自パケット電話機２は通話中であるか否か判別し（ステップＳ４０）、通話中でなければ、保留キー５７の操作は誤操作であるとして、当該操作を無視し、ステップＳ３１に戻る。
【０１８９】
また、ステップＳ４０で、通話中であると判別したときには、ＣＰＵ３１０は、当該キー操作は、自己保留要求の操作であると判別し、自パケット電話機２を自己保留状態へ遷移させると共に、その旨を主装置部１に通知する（ステップＳ４１）。そして、ＣＰＵ３１０は、回線状態情報記憶保持部３２７の記憶内容を更新し（ステップＳ４２）、保留中キーであるフレキシブルキーＦＫ３のＬＥＤ６１を、自己保留の赤色点滅状態に表示制御する（ステップＳ４３）。そして、ステップＳ３１に戻る。
【０１９０】
ステップＳ３９で、操作されたキーは、保留キー５８ではないと判別したときには、操作されたキーは、フレキシブルキーＦＫ１〜ＦＫ４のいずれかであるか否か判別する（図１７のステップＳ５１）。このステップＳ５１でフレキシブルキーＦＫ１〜ＦＫ４のいずれかでないと判別したときには、ＣＰＵ３１０は、その他のキー操作であるとして、当該キー操作に応じた処理を実行する（ステップＳ５２）。
【０１９１】
また、ステップＳ５１で、操作されたキーがフレキシブルキーＦＫ１〜ＦＫ４のいずれかであると判別したときには、ＣＰＵ３１０は、操作されたフレキシブルキーは、どれであるかを判別する（ステップＳ５３）。
【０１９２】
このステップＳ５３で、操作されたキーは、着信キーであるフレキシブルキーＦＫ１であると判別したときには、ＣＰＵ３１０は、優先順表示モードが設定されているか否か判別し（ステップＳ５４）、優先順表示モードが設定されていると判別したときには、図７（Ｃ）に示したように、着信中の回線番号とその着信種別とからなる１行を１つの着信中回線として、着信種別について優先順にしたがった、着信中回線の一覧表示を、ＬＣＤ表示画面３１５Ｄに表示する（ステップＳ５５）。
【０１９３】
また、ステップＳ５４で、非優先順表示モードであると判別したときには、ＣＰＵ３１０は、図７（Ｄ）に示したように、着信中の回線番号とその着信種別とからなる１行を１つの着信中回線として、回線番号順に着信中回線の一覧表示を、ＬＣＤ表示画面３１５Ｄに表示する（ステップＳ５６）。
【０１９４】
そして、ＣＰＵ３１０は、ステップＳ５５およびステップＳ５６の次には、ステップＳ５７に進み、着信中であるのは１回線のみであるか否か判別する。そして、着信中であるのは１回線のみであると判別したときには、ＣＰＵ３１０は、ステップＳ３４にジャンプして、当該フレキシブルキーＦＫ１の押下操作を着信応答操作と見なして、着信応答処理および通話状態への以降処理を行なう。そして、ＣＰＵ３１０は、前述したステップＳ３４以降の処理を実行する。
【０１９５】
ステップＳ５７で、着信中であるのは１回線のみではないと判別したときには、ＣＰＵ３１０は、上キー５２または下キー５３が操作されたか否か判別し（ステップＳ５８）、上キー５２または下キー５３が操作されたと判別したときには、選択中カーソル表示７０を、上キー５２または下キー５３により指示された方向に１行移動させ、移動後の１行に表示されている回線を選択する状態にし（ステップＳ５９）、その後、決定キー５６が操作されたか否か判別する（ステップＳ６０）。
【０１９６】
また、ステップＳ５７で、上キー５２または下キー５３が操作されていないと判別したときには、ＣＰＵ３１０は、ステップＳ５９をバイパスして、ステップＳ６０に進み、決定キー５６が操作されたか否か判別する。
【０１９７】
そして、ＣＰＵ３１０は、ステップＳ６０で、決定キー５６が操作されたと判別したときには、当該操作を選択中の着信中回線の着信を取る操作であると判別して、ステップＳ３４に進み、前述した当該ステップＳ３４以降の処理を実行する。
【０１９８】
また、ＣＰＵ３１０は、ステップＳ６０で、決定キー５６が操作されていないと判別したときには、着信キーであるフレキシブルキーＦＫ１が再び操作されたか否か判別し（ステップＳ６１）、フレキシブルキーＦＫ１が再操作されていないと判別したときには、ステップＳ５８に戻る。
【０１９９】
また、ステップＳ６１で、フレキシブルキーＦＫ１が再操作されたと判別したときには、ＣＰＵ３１０は、ＬＣＤ表示画面３１５Ｄに表示されていた着信中回線の一覧表示を消去して、図７（Ｂ）に示したような、フレキシブルキーＦＫ１のＬＥＤ６１で着信中を表示すると共に、ＬＣＤ表示画面３１５ＤのフレキシブルキーＦＫ１に対応するキー割付表示シンボル６２として「着信」を文字表示する状態に表示制御する（ステップＳ６２）。そして、ステップＳ３１に戻る。
【０２００】
次に、ステップＳ５３で、操作されたフレキシブルキーは、フレキシブルキーＦＫ２であると判別したときには、ＣＰＵ３１０は、当該フレキシブルキーＦＫ２のＬＥＤ６１を緑色点灯し（図１８のステップＳ７１）、外線空き状態一覧表示について優先順表示モードが設定されているか否か判別する（ステップＳ７２）。
【０２０１】
そして、ステップＳ７２で、優先順表示モードが設定されていると判別したときには、ＣＰＵ３１０は、図９（Ａ）に示したように、空き状態の回線番号とその回線種別とからなる１行を１つの空き回線として、回線種別について優先順にしたがった、空き状態の回線の一覧表示を、ＬＣＤ表示画面３１５Ｄに表示する（ステップＳ７３）。
【０２０２】
また、ステップＳ７２で、非優先順表示モードであると判別したときには、ＣＰＵ３１０は、図９（Ｂ）に示したように、空き状態の回線番号とその回線種別とからなる１行を１つの空き回線として、回線番号順に空き回線の一覧表示を、ＬＣＤ表示画面３１５Ｄに表示する（ステップＳ７４）。
【０２０３】
そして、ＣＰＵ３１０は、ステップＳ７３およびステップＳ７４の次には、ステップＳ７５に進み、空き回線は１回線のみであるか否か判別する。そして、空き回線は１回線のみではないと判別したときには、ＣＰＵ３１０は、上キー５２または下キー５３が操作されたか否か判別し（ステップＳ７６）、上キー５２または下キー５３が操作されたと判別したときには、選択中カーソル表示７０を、上キー５２または下キー５３により指示された方向に１行移動させ、移動後の１行に表示されている回線を選択する状態にし（ステップＳ７７）、その後、決定キー５６が操作されたか否か判別する（ステップＳ７８）。
【０２０４】
また、ステップＳ７６で、上キー５２または下キー５３が操作されていないと判別したときには、ＣＰＵ３１０は、ステップＳ７７をバイパスして、ステップＳ７８に進み、決定キー５６が操作されたか否か判別する。
【０２０５】
そして、ＣＰＵ３１０は、ステップＳ７８で、決定キー５６が操作されたと判別したときには、当該操作を選択中の空き回線の捕捉要求操作であると判別して、当該回線の識別情報を含む当該回線の捕捉要求を主装置部１に送って当該空き回線の外線捕捉処理をし、その捕捉要求に対して主装置部１から捕捉完了通知を受け取ると、ダイヤル処理をして、捕捉した回線を通じた外線発信の処理を行ない（ステップＳ７９）、続いて外線通話の処理を行なう（ステップＳ８０）。
【０２０６】
そして、次にＣＰＵ３１０は、通話が終話したか否か判別し（ステップＳ８１）、終話したと判別したときには、当該終話した回線の識別情報を含む終話通知を主装置部１に送るとともに、回線状態情報記憶保持部３２７の記憶情報を更新して終話処理をする（ステップＳ８２）。
【０２０７】
そして、ＣＰＵ３１０は、フレキシブルキーＦＫ２のＬＥＤ６１を消灯して、外線使用中の表示を停止し（ステップＳ８３）、次に、そのときの回線状態情報記憶保持部３２７の記憶内容を参照して、ＬＣＤ表示画面３１５Ｄの表示内容およびフレキシブルキーＦＫ１〜ＦＫ４のＬＥＤ６１の表示状態を、当該記憶内容に応じたものとする（ステップＳ８４）。そして、ステップＳ３１に戻る。
【０２０８】
また、ステップＳ７５で、空き回線は１回線のみであると判別したときには、ＣＰＵ３１０は、ステップＳ７９にジャンプして、即座に外線捕捉処理をし、上述したこのステップＳ７９以降の処理を実行する。
【０２０９】
また、ステップＳ７８で、決定キー５６が操作されていないと判別したときには、外線キーであるフレキシブルキーＦＫ２が再び操作されたか否か判別し（ステップＳ８５）、フレキシブルキーＦＫ２が再操作されていないと判別したときには、ステップＳ７６に戻る。
【０２１０】
また、ステップＳ８５で、フレキシブルキーＦＫ２が再操作されたと判別したときには、ＣＰＵ３１０は、ＬＣＤ表示画面３１５Ｄに表示されていた空き状態の回線の一覧表示を消去すると共に、フレキシブルキーＦＫ２のＬＥＤ６１を消灯して、図８（Ｂ）に示したような、ＬＣＤ表示画面３１５ＤのフレキシブルキーＦＫ２に対応するキー割付表示シンボル６２として「外線」を文字表示する状態に表示制御する（ステップＳ８６）。そして、ステップＳ３１に戻る。
【０２１１】
また、ステップＳ５３で、操作されたフレキシブルキーは、保留中キーであるフレキシブルキーＦＫ３であると判別したときには、ＣＰＵ３１０は、当該フレキシブルキーＦＫ３のＬＥＤ６１を緑色点灯し（図１９のステップＳ９１）、保留中回線の一覧表示について優先順表示モードが設定されているか否か判別する（ステップＳ９２）。
【０２１２】
そして、ステップＳ９２で、優先順表示モードが設定されていると判別したときには、ＣＰＵ３１０は、図１０（Ｃ）に示したように、保留中の回線番号とその保留種別とからなる１行を１つの保留中回線として、保留種別について優先順にしたがった、保留中の回線の一覧表示を、ＬＣＤ表示画面３１５Ｄに表示する（ステップＳ９３）。
【０２１３】
また、ステップＳ９２で、非優先順表示モードであると判別したときには、ＣＰＵ３１０は、図１０（Ｄ）に示したように、保留中回線の回線番号とその保留種別とからなる１行を１つの保留中回線として、回線番号順に保留中回線の一覧表示を、ＬＣＤ表示画面３１５Ｄに表示する（ステップＳ９４）。
【０２１４】
そして、ＣＰＵ３１０は、ステップＳ９３およびステップＳ９４の次には、ステップＳ９５に進み、保留中回線は１回線のみであるか否か判別する。そして、保留中回線は１回線のみではないと判別したときには、ＣＰＵ３１０は、上キー５２または下キー５３が操作されたか否か判別し（ステップＳ９６）、上キー５２または下キー５３が操作されたと判別したときには、選択中カーソル表示７０を、上キー５２または下キー５３により指示された方向に１行移動させ、移動後の１行に表示されている回線を選択する状態にし（ステップＳ９７）、その後、決定キー５６が操作されたか否か判別する（ステップＳ９８）。
【０２１５】
また、ステップＳ９６で、上キー５２または下キー５３が操作されていないと判別したときには、ＣＰＵ３１０は、ステップＳ９７をバイパスして、ステップＳ９８に進み、決定キー５６が操作されたか否か判別する。
【０２１６】
そして、ＣＰＵ３１０は、ステップＳ９８で、決定キー５６が操作されたと判別したときには、当該操作を保留中回線の保留解除要求操作であると判別して、ＬＣＤ表示画面３１５Ｄの保留中回線の一覧表示を消去すると共に、当該回線の識別情報を含む当該回線の保留解除要求を主装置部１に送って当該保留中回線の保留解除処理をし（ステップＳ９９）、続いて外線通話の処理を行なう（ステップＳ１００）。
【０２１７】
そして、次にＣＰＵ３１０は、通話が終話したか否か判別し（ステップＳ１０１）、終話したと判別したときには、当該終話した回線の識別情報を含む終話通知を主装置部１に送るとともに、回線状態情報記憶保持部３２７の記憶情報を更新して終話処理をする（ステップＳ１０２）。
【０２１８】
そして、ＣＰＵ３１０は、フレキシブルキーＦＫ３のＬＥＤ６１の緑色点灯を消灯して（ステップＳ１０３）、次に、そのときの回線状態情報記憶保持部３２７の記憶内容を参照して、ＬＣＤ表示画面３１５Ｄの表示内容およびフレキシブルキーＦＫ１〜ＦＫ４のＬＥＤ６１の表示状態を、当該記憶内容に応じたものとする（ステップＳ１０４）。そして、ステップＳ３１に戻る。
【０２１９】
また、ステップＳ９５で、保留中回線は１回線のみであると判別したときには、ＣＰＵ３１０は、ステップＳ９９にジャンプして、即座に保留解除処理をし、上述したこのステップＳ９９以降の処理を実行する。
【０２２０】
また、ステップＳ９８で、決定キー５６が操作されていないと判別したときには、保留中キーであるフレキシブルキーＦＫ３が再び操作されたか否か判別し（ステップＳ１０５）、フレキシブルキーＦＫ３が再操作されていないと判別したときには、ステップＳ９６に戻る。
【０２２１】
また、ステップＳ１０５で、フレキシブルキーＦＫ３が再操作されたと判別したときには、ＣＰＵ３１０は、ＬＣＤ表示画面３１５Ｄに表示されていた保留中の回線の一覧表示を消去すると共に、フレキシブルキーＦＫ３のＬＥＤ６１の緑点灯を消灯して、当該ＬＥＤ６１を保留中表示の赤の点滅表示に戻すと共に、図１０（Ｂ）に示したような、ＬＣＤ表示画面３１５ＤのフレキシブルキーＦＫ３に対応するキー割付表示シンボル６２として「保留」を文字表示する状態に表示制御する（ステップＳ１０６）。そして、ステップＳ３１に戻る。
【０２２２】
また、ステップＳ５３で、操作されたフレキシブルキーは、機能キーであるフレキシブルキーＦＫ４であると判別したときには、ＣＰＵ３１０は、当該フレキシブルキーＦＫ４のＬＥＤ６１を緑色点灯し（図２０のステップＳ１１１）、当該フレキシブルキーＦＫ４に割付設定されている機能の一覧表示について優先順表示モードが設定されているか否か判別する（ステップＳ１１２）。
【０２２３】
そして、ステップＳ１１２で、優先順表示モードが設定されていると判別したときには、ＣＰＵ３１０は、フレキシブルキー設定記憶保持部３２８のフレキシブルキーＦＫ４に割り付けられた機能と、使用頻度の情報とを参照して、図１３（Ａ）に示したように、機能番号と、対応する機能種別（機能名称）とからなる１行を１つの機能表示として、使用頻度に基づく優先順にしたがった、機能の一覧表示を、ＬＣＤ表示画面３１５Ｄに表示する（ステップＳ１１３）。
【０２２４】
また、ステップＳ１１２で、非優先順表示モードであると判別したときには、ＣＰＵ３１０は、図１３（Ｂ）に示したように、機能番号とその機能種別（機能名称）とからなる１行を１つの機能表示として、機能番号順に機能の一覧表示を、ＬＣＤ表示画面３１５Ｄに表示する（ステップＳ１１４）。
【０２２５】
そして、ＣＰＵ３１０は、ステップＳ１１３およびステップＳ１１４の次には、ステップＳ１１５に進み、フレキシブルキーＦＫ４に設定されている機能を１個のみであるか否か判別する。そして、設定されている機能は１個のみではないと判別したときには、ＣＰＵ３１０は、上キー５２または下キー５３が操作されたか否か判別し（ステップＳ１１６）、上キー５２または下キー５３が操作されたと判別したときには、選択中カーソル表示７０を、上キー５２または下キー５３により指示された方向に１行移動させ、移動後の１行に表示されている機能を選択する状態にし（ステップＳ１１７）、その後、決定キー５６が操作されたか否か判別する（ステップＳ１１８）。
【０２２６】
また、ステップＳ１１６で、上キー５２または下キー５３が操作されていないと判別したときには、ＣＰＵ３１０は、ステップＳ１１７をバイパスして、ステップＳ１１８に進み、決定キー５６が操作されたか否か判別する。
【０２２７】
そして、ＣＰＵ３１０は、ステップＳ１１８で、決定キー５６が操作されたと判別したときには、当該操作を、選択中の機能実行要求操作であると判別して、ＬＣＤ表示画面３１５Ｄの機能の一覧表示を消去すると共に、当該選択された機能に応じた処理を実行する処理ルーチンへ移行する（ステップＳ１１９）。
【０２２８】
また、ステップＳ１１５で、設定されている機能は１個のみであると判別したときには、ＣＰＵ３１０は、ステップＳ１１９にジャンプして、即座に当該機能に応じた処理を実行する処理ルーチンへ移行する。
【０２２９】
ステップＳ１１９では、例えば、選択された機能がワンタッチ機能であれば、フレキシブルキー設定記憶保持部３２８に当該機能に対応して記憶されている電話番号が読み出されて、当該電話番号を用いた発信処理がなされる。
【０２３０】
また、ステップＳ１１８で、決定キー５６が操作されていないと判別したときには、機能キーであるフレキシブルキーＦＫ４が再び操作されたか否か判別し（ステップＳ１２０）、フレキシブルキーＦＫ４が再操作されていないと判別したときには、ステップＳ１１６に戻る。
【０２３１】
また、ステップＳ１２０で、フレキシブルキーＦＫ４が再操作されたと判別したときには、ＣＰＵ３１０は、ＬＣＤ表示画面３１５Ｄに表示されていた機能の一覧表示を消去すると共に、フレキシブルキーＦＫ４のＬＥＤ６１の緑点灯を消灯して、図１２（Ｂ）に示したような、ＬＣＤ表示画面３１５ＤのフレキシブルキーＦＫ４に対応するキー割付表示シンボル６２として「機能」を文字表示する状態に表示制御する（ステップＳ１２１）。そして、ステップＳ３１に戻る。
【０２３２】
以上説明したように、この実施形態では、回線状態や機能をグループ単位でフレキシブルキーに割り付け設定して、フレキシブルキーを操作したときに、その割付設定された回線状態になっている回線グループの一覧や機能グループの一覧を表示するようにしたので、少ないキー数であっても、多数の回線や機能に対応することができるパケット電話機を実現することができる。
【０２３３】
特に、上述の実施形態のように、１つのフレキシブルキーを外線空き状態に割り付けることにより、パケット電話機のユーザは、当該フレキシブルキーを操作することで、空き回線を簡単に見つけることが可能となり、他のパケット電話機での外線使用中を表示する必要がなくなるというメリットがある。このため、他者使用中を表示するためのＬＥＤ点灯が不要になり、消費電力をその分削減することができる。
【０２３４】
また、この例のパケット電話機である電話通信端末では、例えばＬＣＤなどの表示画面に、フレキシブルキーに対応する表示をし、それらのフレキシブルキーに対応する表示に、回線状態や各種機能を対応させて設定するようにしたので、分かり易いというメリットもある。
【０２３５】
また、上述の実施形態では、フレキシブルキーＦＫ１〜ＦＫ４のそれぞれにＬＥＤ６１を設けて、それらの点灯、点滅表示により、従来と同様の着信表示や保留中表示等を、併せて行なうようにしたので、ユーザは従来と同様の使い方ができて使い勝手が良い。
【０２３６】
［他の実施形態および変形例］
以上の実施形態では、複数個のフレキシブルキーのそれぞれに対して発光素子としてＬＥＤ６１を設けるようにしたが、発光素子は、ＬＥＤに限られるものではないことは言うまでもない。
【０２３７】
また、複数個のフレキシブルキーのそれぞれに対して、ＬＥＤなどの発光素子を設けなくても良い。その場合、ＬＣＤ画面３１５Ｄの、対応するキー割付表示シンボル６２の色、点灯、点滅などの表示形態を用いて、着信表示、保留中表示などの回線状態の変化や、外線捕捉中や機能使用中などを表示するようにしてもよい。
【０２３８】
また、上述の実施形態では、複数個のフレキシブルキーのそれぞれに対応して、ＬＣＤ表示画面３１５Ｄに、キー割付表示シンボル６２として回線状態や機能の文字表示をするようにしたが、文字表示の代わりに、各回線状態や機能に応じたグラフィックス表示からなるものをキー割付表示シンボル６２として表示するようにしても良い。
【０２３９】
また、上述の実施形態では、複数個のフレキシブルキーのそれぞれに対応するキー割付表示シンボル６２は、対応する回線状態の回線や対応する機能があるときに、ＬＣＤ表示画面３１５Ｄに表示するようにしたが、図２１に示すように、キー割付表示シンボル６２は、フレキシブルキーＦＫ１〜ＦＫ４のそれぞれに対応して、常時、表示するようにしても良い。その場合には、ＬＥＤなどの発光素子を、フレキシブルキーのそれぞれに対応して設けて、そのＬＥＤにより回線状態の変化や使用状況に合わせた表示をするようにするとよい。
【０２４０】
また、上述の実施形態では、複数個のフレキシブルキーのそれぞれに対応するキー割付表示シンボル６２は、対応する回線状態の回線がなかったり、対応する機能が設定されていなかったりした場合には、非表示とするようにしたが、非表示とするのではなく、図２２に示すように点線で表示したり、他のフレキシブルキーに対応するキー設定シンボル２２に比べて薄く表示したりするようにしてもよい。
【０２４１】
また、例えばインデックス紙をフレキシブルキーのそれぞれに対応して、設置できるように構成し、当該インデックス紙に割り付けられた回線状態や機能をユーザが記述するようにすることにより、ＬＣＤ画面３１５Ｄのキー割付表示シンボル６２を省略するようにしてもよい。
【０２４２】
また、複数のフレキシブルキーに対して、回線状態や機能を予め固定的に割付設定する場合には、当該フレキシブルキーのそれぞれに、割り付け設定された回線状態や機能の文字を印刷等により施しておいても良い。
【０２４３】
また、フレキシブルキーのそれぞれは、上述の例のように、押ボタンキーにより構成するのではなく、ＬＣＤ画面３１５Ｄをタッチパネルの構成として、図２３に示すように、当該ＬＣＤ画面３１５Ｄの画面に、フレキシブルキーＦＫ１１〜ＦＫ１４を表示するようにしても良い。
【０２４４】
この図２３の例の場合には、ＬＣＤ画面３１５Ｄ上のフレキシブルキーＦＫ１１〜ＦＫ１４のいずれかを押すと、ＬＣＤ画面３１５Ｄには、前述したような対応する一覧表示画面が表示され、当該一覧表示画面において、ユーザは、希望する回線や機能を、その行をタッチすることにより、選択することができるように構成することができる。
【０２４５】
そして、この図２３の例においては、着信中なし、保留中なし、また、外線空きなしなどの回線状態のときには、ＬＣＤ画面３１５Ｄ上のフレキシブルキーＦＫ１１〜ＦＫ１４を表示しないようにする。これにより、ユーザは、誤操作をすることはなくなるというメリットがある。
【０２４６】
また、上述の実施形態では、フレキシブルキーに割付設定されている回線状態の回線が１回線のみである場合や、フレキシブルキーに割付設定されている機能が１個であるときには、それぞれのフレキシブルキーは、自動的に、着信応答キーや、外線捕捉キー、保留解除キーとして働くようにしたが、ユーザが、そのようにプリセットしたときにのみ、そのように働くようにしても良い。
【０２４７】
なお、その場合には、ユーザがプリセットしなかったときには、フレキシブルキーを押下操作した後、ＬＣＤ表示画面で内容を確認した後、決定キーを押すことにより同じ処理要求とすることになる。
【０２４８】
なお、上述の実施形態では、フレキシブルキーＦＫ４には異なる複数種の機能を併せて割付設定するようにしたが、グループ化することが可能な機能については、それぞれにフレキシブルキーを割付設定するようにしても良い。例えば、ワンタッチ機能のグループを１個のフレキシブルキーに割り付け設定し、また、ボイスメール再生機能のグループを別の１個のフレキシブルキーに割り付け設定するというように、一つ一つの機能を、１つ１つのフレキシブルキーに割付設定しても良い。
【０２４９】
なお、図の一覧表示は一例であり、これに限られるものではないことは言うまでもない。また、表示画面３１５Ｄに一度にすべての回線や機能を一覧表示するようにする必要はなく、スクロールさせたり、ページ変更（複数ページとした場合）させたりすることにより、より多くの回線や機能を一覧表示することができる。
【０２５０】
また、カーソル表示は、アンダーバーに限られるものではなく、一覧表示における各１行の囲み表示や、白黒反転表示、各１行表示の周囲領域のカラー表示など、種々の態様が採用可能である。
【０２５１】
また、以上の実施形態では、通話のみを行なう場合であったが、パケット電話機に電子メールの機能を設けて、電子メールの通信を行なうようにすることもできる。
【０２５２】
なお、表示画面を備える表示素子としては、ＬＣＤに限らず、有機ＥＬ（Ｅｌｅｃｔｒｏｎｉｃ  Ｌｕｍｍｉｎｅｓｃｅｎｃｅ）ディスプレイ、ＦＥＤ（Ｆｉｅｌｄ  Ｅｍｍｉｓｓｉｏｎ  Ｄｉｓｐｌａｙ）など、他のフラットディスプレイパネルを用いることができることは言うまでもない。
【０２５３】
また、以上は、この発明を無線ＬＡＮを用いたビジネスホンシステムにおけるパケット電話機に適用した場合の例であるが、この発明は、従来の接続ケーブルを介して主装置部と各電話端末との間を接続するようにするビジネスホンシステムにおける電話端末にも適用できるものである。
【０２５４】
また、上述の実施形態では、着信、外線空き状態、保留中の３つの回線状態のすべてを３つのフレキシブルキーに、それぞれ割り付けるようにしたが、前記３つの回線状態のすべてを必ず割り付けなければならない訳ではない。例えば、自己保留のみが可能で、保留転送機能を持たないビジネスホンシステムの場合には、保留中状態の回線グループをフレキシブルキーに割り付ける必要はない。
【０２５５】
なお、上述の実施形態の回線状態や機能の一覧表示における優先順位は、一例であって、これに限られるものではない。また、以上の説明では、優先順位は、予め設定されているものとしたが、ユーザが優先順位を設定することもできる。
【図面の簡単な説明】
【０２５６】
【図１】この発明による電話通信端末の実施形態を、パケット電話機として使用するビジネスホンシステムの構成例を示すブロック図である。
【図２】図１のシステムに用いられる無線ＬＡＮ用アクセスポイント装置の構成例を示すブロック図である。
【図３】図１のシステムに用いられる無線ＬＡＮ用端末がステーション装置部の構成例を示すブロック図である。
【図４】この発明による電話通信端末の実施形態としてのパケット電話機の要部の構成例を示すブロック図である。
【図５】この発明による電話通信端末の実施形態としてのパケット電話機の、概観構成例を示す図である。
【図６】図４の回線状態情報記憶保持部３２７の記憶内容の一例を説明するための図である。
【図７】この発明による電話通信端末の実施形態としてのパケット電話機における表示例を示す図である。
【図８】この発明による電話通信端末の実施形態としてのパケット電話機における表示例を示す図である。
【図９】この発明による電話通信端末の実施形態としてのパケット電話機における表示例を示す図である。
【図１０】この発明による電話通信端末の実施形態としてのパケット電話機における表示例を示す図である。
【図１１】図４のフレキシブルキー設定記憶保持部３２８の記憶内容の一例を説明するための図である。
【図１２】この発明による電話通信端末の実施形態としてのパケット電話機における表示例を示す図である。
【図１３】この発明による電話通信端末の実施形態としてのパケット電話機における表示例を示す図である。
【図１４】図１のシステムの主装置部のサーバ装置の動作説明のためのフローチャートを示す図である。
【図１５】この発明による電話通信端末の実施形態としてのパケット電話機の動作説明のためのフローチャートを示す図である。
【図１６】この発明による電話通信端末の実施形態としてのパケット電話機の動作説明のためのフローチャートの一部を示す図である。
【図１７】この発明による電話通信端末の実施形態としてのパケット電話機の動作説明のためのフローチャートの一部を示す図である。
【図１８】この発明による電話通信端末の実施形態としてのパケット電話機の動作説明のためのフローチャートの一部を示す図である。
【図１９】この発明による電話通信端末の実施形態としてのパケット電話機の動作説明のためのフローチャートの一部を示す図である。
【図２０】この発明による電話通信端末の実施形態としてのパケット電話機の動作説明のためのフローチャートの一部を示す図である。
【図２１】この発明による電話通信端末の実施形態としてのパケット電話機における他の表示例を示す図である。
【図２２】この発明による電話通信端末の実施形態としてのパケット電話機における他の表示例を示す図である。
【図２３】この発明による電話通信端末の実施形態としてのパケット電話機における他の表示例を示す図である。
【符号の説明】
【０２５７】
１…主装置部、２…パケット電話機、３…無線ＬＡＮ、４…外部ネットワーク、２０…無線ＬＡＮ用端末側ステーション装置部、３０…電話機部、４０…バッテリー、３２７…回線状態記憶保持部、３２８…フレキシブルキー設定記憶保持部、ＦＫ１〜ＦＫ４…フレキシブルキー
【図１】
2006270482.tif 000003
【図２】
2006270482.tif 000004
【図３】
2006270482.tif 000005
【図４】
2006270482.tif 000006
【図５】
2006270482.tif 000007
【図６】
2006270482.tif 000008
【図７】
2006270482.tif 000009
【図８】
2006270482.tif 000010
【図９】
2006270482.tif 000011
【図１０】
2006270482.tif 000012
【図１１】
2006270482.tif 000013
【図１２】
2006270482.tif 000014
【図１３】
2006270482.tif 000015
【図１４】
2006270482.tif 000016
【図１５】
2006270482.tif 000017
【図１６】
2006270482.tif 000018
【図１７】
2006270482.tif 000019
【図１８】
2006270482.tif 000020
【図１９】
2006270482.tif 000021
【図２０】
2006270482.tif 000022
【図２１】
2006270482.tif 000023
【図２２】
2006270482.tif 000024
【図２３】
2006270482.tif 000025